(57)【要約】  マルチモード/マルチバンド移動局及びその移動局の動作方法を提供する。マルチモード/マルチバンド移動局は、マルチモード/マルチバンド信号をそれぞれの送信器を通じて送信する送信部と、マルチモード/マルチバンドのうちの同一の周波数帯域に該当する信号は、同一の周波数帯域のサービスが異なる一つ以上の無線信号を共に受信する兼用受信器を通じて受信し、同一の周波数帯域に該当しない信号は異なる周波数帯域別受信器を通じて受信する受信部と、を含むことを特徴とする。本発明によるマルチモード/マルチバンド移動局は、同一の周波数帯域に対してサービス形態が異なっても一つの兼用受信器を使用することによって受信器の個数を減少することができる。また、マルチモード/マルチバンド移動局は、従来のＦＤＤ方式(例えば、ＷＣＤＭＡ方式)のデュプレクサをＴＤＤ方式(例えば、ＧＳＭ８５０又はＰＣＳ１９００方式）にも使用可能である。
2007529181.tif 000002
【特許請求の範囲】
【請求項１】
多様な無線インターフェース規格に基づいて動作する無線ネットワーク用マルチモード/マルチバンド移動局であって、
選択された周波数帯域に各々適合させる複数の低雑音増幅器と、
前記複数の低雑音増幅器の中で選択された一つの増幅器から増幅されたＲＦ信号を受信し、前記増幅されたＲＦ信号を下方変換して第１のアナログ中間周波数(ＩＦ)信号を生成するＮＺＩＦ(Ｎｅａｒ-Ｚｅｒｏ  Ｉｎｔｅｒｍｅｄｉａｔｅ  Ｆｒｅｑｕｅｎｃｙ)広帯域映像阻止(Ｉｍａｇｅ  Ｒｅｊｅｃｔｉｏｎ：ＩＲ)ミキサーと、
を含むことを特徴とするマルチモード/マルチバンド移動局。
【請求項２】
前記選択された低雑音増幅器を前記ＮＺＩＦ広帯域ＩＲミキサーとカップリングするためのスイッチをさらに含むことを特徴とする請求項１記載のマルチモード/マルチバンド移動局。
【請求項３】
前記スイッチは、前記マルチモード/マルチバンド移動局が動作する第１の無線インターフェース規格により前記選択された低雑音増幅器を選択することを特徴とする請求項２記載のマルチモード/マルチバンド移動局。
【請求項４】
前記ＮＺＩＦ広帯域ＩＲミキサーに選択可能周波数の発振器基準信号を供給するためのプログラマブル周波数可変発振器をさらに含むことを特徴とする請求項３記載のマルチモード/マルチバンド移動局。
【請求項５】
前記ＮＺＩＦ広帯域ＩＲミキサーからの前記第１のアナログＩＦ信号をフィルタリングするための第１の再構成可能帯域通過フィルターをさらに含むことを特徴とする請求項４記載のマルチモード/マルチバンド移動局。
【請求項６】
前記第１の再構成可能帯域通過フィルターは、前記マルチモード/マルチバンド移動局が動作する前記第１の無線インターフェース規格により前記第１のアナログＩＦ信号をフィルタリングすることを特徴とする請求項５記載のマルチモード/マルチバンド移動局。
【請求項７】
前記第１の再構成可能帯域通過フィルターは、前記第１のアナログＩＦ信号からの不必要な周波数を除去することを特徴とする請求項６記載のマルチモード/マルチバンド移動局。
【請求項８】
前記第１の再構成可能帯域通過フィルターからの第１のフィルタリングアナログＩＦ信号を増幅するためのプログラマブル可変利得増幅器をさらに含むことを特徴とする請求項７記載のマルチモード/マルチバンド移動局。
【請求項９】
前記プログラマブル可変利得増幅器によって増幅された第１のフィルタリングアナログＩＦ信号をフィルタリングするための第２の再構成可能帯域通過フィルターをさらに含むことを特徴とする請求項８記載のマルチモード/マルチバンド移動局。
【請求項１０】
前記第２の再構成可能帯域通過フィルターがアンチエイリアスフィルター(ａｎｔｉ-ａｌｉａｓ  ｆｉｌｔｅｒ)であることを特徴とする請求項９記載のマルチモード/マルチバンド移動局。
【請求項１１】
前記第２の再構成可能帯域通過フィルターから出力された第２のフィルタリングＩＦ信号をデジタルＩＦ信号に変換するためのアナログ/デジタル(Ａ/Ｄ)変換器をさらに含むことを特徴とする請求項１０記載のマルチモード/マルチバンド移動局。
【請求項１２】
前記プログラマブル可変利得増幅器は、前記Ａ/Ｄ変換器の動作範囲に基づいて前記第１のフィルタリングアナログＩＦ信号を増幅することを特徴とする請求項１１記載のマルチモード/マルチバンド移動局。
【請求項１３】
再構成可能デジタルＩＦ処理ブロックをさらに含むことを特徴とする請求項１２記載のマルチモード/マルチバンド移動局。
【請求項１４】
多様な無線インターフェース規格の下で動作する無線ネットワーク用マルチモード/マルチバンド移動局の動作方法であって、
複数の低雑音増幅器のうちの一つを選択して着信無線周波数(ＲＦ)信号を増幅し、複数の低雑音増幅器の各々を選択された周波数帯域に適合させるステップと、
ＮＺＩＦ広帯域ＩＲミキサーが、前記選択された低雑音増幅器によって増幅されたＲＦ信号を下方変換して第１のアナログ中間周波数(ＩＦ)信号を生成するステップと、
を有することを特徴とする動作方法。
【請求項１５】
スイッチを用いて前記選択された低雑音増幅器を前記ＮＺＩＦ広帯域ＩＲミキサーにカップリングするステップをさらに含むことを特徴とする請求項１４記載の動作方法。
【請求項１６】
前記スイッチは、前記マルチモード/マルチバンド移動局が動作する第１の無線インターフェース規格により前記選択された低雑音増幅器を選択することを特徴とする請求項１５記載の動作方法。
【請求項１７】
前記ＮＺＩＦ広帯域ＩＲミキサーは、プログラマブル周波数可変発振器から選択可能周波数の発振器基準信号を受信することを特徴とする請求項１６記載の移動局の動作方法。
【請求項１８】
第１の再構成可能帯域通過フィルターで前記ＮＺＩＦ広帯域ＩＲミキサーから前記第１のアナログＩＦ信号をフィルタリングするステップをさらに含むことを特徴とする請求項１７記載の動作方法。
【請求項１９】
前記第１の再構成可能帯域通過フィルターは、前記マルチモード/マルチバンド移動局が動作する前記第１の無線インターフェース規格により前記第１のアナログＩＦ信号をフィルタリングすることを特徴とする請求項１８記載の動作方法。
【請求項２０】
前記第１の再構成可能帯域通過フィルターは、前記第１のアナログＩＦ信号からの不必要な周波数を除去することを特徴とする請求項１９記載の動作方法。
【請求項２１】
マルチモード/マルチバンド信号をそれぞれの送信器を通じて送信する送信部と、
前記マルチモード/マルチバンドのうちの同一の周波数帯域に該当する信号は、同一の周波数帯域のサービスが異なる一つ以上の無線信号を共に共に受信する兼用受信器を通じて受信し、前記同一の周波数帯域に該当しない信号は異なる周波数帯域別受信器を通じて受信する受信部と、
を含むことを特徴とするマルチモード/マルチバンド移動局。
【請求項２２】
前記各兼用受信器は、同一の周波数帯域の受信信号を相互に異なるサービス方式で増幅する低雑音増幅器(ＬＮＡ)を含むことを特徴とする請求項２１記載のマルチモード/マルチバンド移動局。
【請求項２３】
ＦＤＤ(Ｆｒｅｑｕｅｎｃｙ  Ｄｉｖｉｓｉｏｎ  Ｄｕｐｌｅｘ)方式及びＴＤＤ(Ｔｉｍｅ  Ｄｉｖｉｓｉｏｎ  Ｄｕｐｌｅｘ)方式の送受信信号を分離するデュプレクス部をさらに含むことを特徴とする請求項２１記載のマルチモード/マルチバンド移動局。
【請求項２４】
ＧＳＭ信号を受信してＧＳＭ受信器に伝送するデュプレクサをさらに含むことを特徴とする請求項２１記載のマルチモード/マルチバンド移動局。
【請求項２５】
前記デュプレクサは、共通帯域のＧＳＭ信号又はＷＣＤＭＡ信号のうちの一つを受信し、受信された信号をＷＣＤＭＡ/ＧＳＭ兼用受信器に伝送するデュプレクサをさらに含むことを特徴とする請求項２１記載のマルチモード/マルチバンド移動局。
【請求項２６】
前記マルチモード/マルチバンドは、ＷＣＤＭＡ２０００ＭＨｚ帯域、ＷＣＤＭＡ１９００ＭＨｚ帯域、ＷＣＤＭＡ８５０ＭＨｚ帯域、ＧＳＭ８５０ＭＨｚ帯域、ＧＳＭS９００ＭＨｚ帯域、ＤＣＳ１８００ＭＨｚ帯域、及びＰＣＳ１９００ＭＨｚ帯域を含むことを特徴とする請求項２１記載のマルチモード/マルチバンド移動局。
【請求項２７】
前記送信部は、
ＷＣＤＭＡ２０００ＭＨｚ帯域の信号を送信するＷＣＤＭＡ２０００送信器、ＷＣＤＭＡ１９００ＭＨｚ帯域の信号を送信するＷＣＤＭＡ１９００送信器、ＷＣＤＭＡ８５０ＭＨｚ帯域の信号を送信するＷＣＤＭＡ８５０送信器、ＤＣＳ１８００ＭＨｚ及びＰＣＳ１９００ＭＨｚ帯域の信号を送信するＤＣＳ１８００/ＰＣＳ１９００送信器、及びＧＳＭ８５０ＭＨｚ及びＧＳＭ９００ＭＨｚ帯域の信号を送信するＧＳＭ８５０/ＧＳＭ９００送信器のうち、少なくとも一つ以上の送信器を含むことを特徴とする請求項２１記載のマルチモード/マルチバンド移動局。
【請求項２８】
前記各周波数帯域別受信器は、
ＷＣＤＭＡ２０００ＭＨｚ帯域の信号を受信するＷＣＤＭＡ２０００受信器、ＤＣＳ１８００ＭＨｚ帯域の信号を受信するＤＣＳ１８００受信器、ＧＳＭ９００ＭＨｚ帯域の信号を受信するＧＳＭ９００受信器のうち、少なくとも一つ以上を含むことを特徴とする請求項２１記載のマルチモード/マルチバンド移動局。
【請求項２９】
前記各兼用受信器は、
ＷＣＤＭＡ１９００ＭＨｚ帯域の信号とＰＣＳ１９００ＭＨｚ帯域の信号を共に受信するＷＣＤＭＡ/ＰＣＳ１９００受信器と、ＷＣＤＭＡ８５０ＭＨｚ帯域の信号とＧＳＭ８５０ＭＨｚ帯域の信号を共に受信するＷＣＤＭＡ/ＧＳＭ８５０受信器のうちいずれか一つを含むことを特徴とする請求項２１記載のマルチモード/マルチバンド移動局。
【請求項３０】
前記マルチモード/マルチバンドの一定地域で、利用度が高い帯域であるメイン受信帯域を受信する受信器によって受信された高い周波数帯域の信号を低い周波数帯域の信号に変換する第１のミキサーと、
前記複数の通信サービス別複数の周波数帯域の一定地域で、利用度が低いサブ受信帯域を受信する受信器によって受信された高い周波数帯域の信号を低い周波数帯域の信号に変換する第２のミキサーと、
をさらに含むことを特徴とする請求項２１記載のマルチモード/マルチバンド移動局。
【請求項３１】
前記サブ受信帯域はダイバシティ帯域を含むことを特徴とする請求項３０記載のマルチモード/マルチバンド移動局。
【請求項３２】
所定の制御下にマルチモード/マルチバンドのうち、受信しようとするモード及び帯域を選択するためのスイッチング動作を遂行するスイッチ部と、
前記スイッチング動作によってマルチモード/マルチバンド信号のうち、自分のモード及び帯域の信号を受信する受信器と、
前記受信された信号を前記受信しようとするモード及び帯域に対応するローカル周波数を用いて下方変換するミキサーと、
所定の制御下に前記受信器のうち、受信しようとするモード及び帯域に対応する受信器の動作を制御し、前記下方変換された受信信号をベースバンド処理し、ベースバンド信号をモード別に区分して出力するベースバンド処理部と、
受信しようとするモード及び帯域の信号を受信するための制御信号を出力し、前記ローカル周波数を前記受信しようとするモード及び帯域に対応するローカル周波数で制御し、前記モード別ベースバンド信号をそれぞれのモード別モデムを通じて復調するモデム部と、
を含むことを特徴とするマルチモード/マルチバンド移動局。
【請求項３３】
前記マルチモード/マルチバンドはＷＣＤＭＡモードの各帯域と、ＧＳＭモードの各帯域を含むことを特徴とする請求項３２記載のマルチモード/マルチバンド移動局。
【請求項３４】
前記受信器は、
ＷＣＤＭＡモードの各帯域を受信するＷＣＤＭＡ受信器と、
ＧＳＭモードの各帯域を受信するＧＳＭ受信器と、
前記ＷＣＤＭＡ及びＧＳＭモードの共通帯域を受信するＷＣＤＭＡ/ＧＳＭ兼用受信器と、
を含むことを特徴とする請求項３２記載のマルチモード/マルチバンド移動局。
【請求項３５】
前記スイッチ部は、
所定制御下にＷＣＤＭＡモードの各帯域及びＧＳＭモードの各帯域のうち、受信しようとする受信モード及び周波数帯域を選択するためのスイッチングを遂行する第１のアンテナスイッチと、
前記受信モードがＧＳＭモードとして選択された場合に、ＧＳＭモードの周波数帯域を選択するための帯域選択スイッチと、
前記受信モードがＷＣＤＭＡモードとして選択された場合に、ＷＣＤＭＡダイバシティ受信が遂行されるか否かを選択するための第２のアンテナスイッチと、
を含むことを特徴とする請求項３３記載のマルチモード/マルチバンド移動局。
【請求項３６】
前記ミキサーは、
前記マルチモード/マルチバンドのうち、ＷＣＤＭＡモードの各帯域と、前記ＷＣＤＭＡ及びＧＳＭモードの共通帯域を受信する受信器によって受信された信号を下方変換する第１のミキサーと、
前記マルチモード/マルチバンドのうち、ＧＳＭモードの各帯域と前記ＷＣＤＭＡダイバシティ帯域を受信する受信器によって受信された信号を下方変換する第２のミキサーと、
を含むことを特徴とする請求項３３記載のマルチモード/マルチバンド移動局。
【請求項３７】
前記ベースバンド処理部は、
所定の制御下に前記第１のミキサーによって下方変換されたＷＣＤＭＡモードの各帯域別信号と、前記ＷＣＤＭＡ及びＧＳＭモードの各帯域別信号をベースバンド処理する第１のベースバンド処理部と、
所定の制御下に前記第２のミキサーによって下方変換されたＧＳＭモードの各帯域と前記ＷＣＤＭＡダイバシティ帯域別信号をベースバンド処理する第２のベースバンド処理部と、
受信モード及び帯域特性により前記第１及び第２のベースバンド処理部の処理動作を制御する制御部と、
を含むことを特徴とする請求項３６記載のマルチモード/マルチバンド移動局。
【請求項３８】
前記第１及び第２のベースバンド処理部から出力されたベースバンド信号の中でＷＣＤＭＡ信号をモデム部に伝送する第１の経路と、
前記第１及び第２のベースバンド処理部から出力されたベースバンド信号の中でＧＳＭ信号又はＷＣＤＭＡダイバシティ信号をモデム部に伝送する第２の経路と、
を含むことを特徴とする請求項３７記載のマルチモード/マルチバンド移動局。
【請求項３９】
前記モデム部は、
前記ベースバンド処理部から出力されたＷＣＤＭＡベースバンド信号を復調するＷＣＤＭＡモデムと、
前記ベースバンド処理部から出力されたＧＳＭベースバンド信号を復調するＧＳＭモデムと、
前記ベースバンド処理部から出力されたＷＣＤＭＡダイバシティベースバンド信号を復調するＷＣＤＭＡダイバシティモデムと、
前記マルチモード/マルチバンド信号のうち、希望するモード及び帯域の信号を受信するための制御信号を出力し、前記ローカル周波数を受信しようとするモード及び帯域に対応するローカル周波数で制御するモデム制御部と、
を含むことを特徴とする請求項３７記載のマルチモード/マルチバンド移動局。
【請求項４０】
前記マルチモード/マルチバンド信号のうち、希望するモード及び帯域の信号を受信するための制御信号は、
前記スイッチ部を制御するためのスイッチ制御信号と、
前記ベースバンド処理部を制御するためのＳＰＩ信号と、
を含むことを特徴とする請求項３９記載のマルチモード/マルチバンド移動局。
【請求項４１】
前記ベースバンド処理部は、前記ＳＰＩ信号によって前記受信器のうち受信しようとするモード及び帯域に対応する受信器の動作を制御し、受信しようとするモード及び帯域に対応する受信器がＷＣＤＭＡ/ＧＳＭ兼用帯域である場合に、ＷＣＤＭＡ/ＧＳＭ兼用受信器の低雑音増幅利得を受信しようとするモード及び帯域に対応する低雑音増幅利得で制御し、前記第１及び第２のベースバンド処理部の処理動作を制御することを特徴とする請求項４０記載のマルチモード/マルチバンド移動局。
【請求項４２】
前記スイッチ部を制御するためのスイッチ制御信号は、
前記ＷＣＤＭＡモードの各帯域及びＧＳＭモードの各帯域のうち、受信しようとする受信モード及び周波数帯域を選択するための第１のスイッチ制御信号と、
前記受信モードがＧＳＭモードとして選択された場合に、ＧＳＭモードの周波数帯域を選択するための第２のスイッチ制御信号と、
前記ＷＣＤＭＡダイバシティ受信が遂行されるか否かを選択するための第３のスイッチ制御信号と、
を含むことを特徴とする請求項３９記載のマルチモード/マルチバンド移動局。
【発明の詳細な説明】
【技術分野】
【０００１】
本発明は無線送受信装置に関して、特にマルチモード/マルチバンドを支援する移動局に関するものである。
【背景技術】
【０００２】
最近で、無線ネットワークに使用される多様なアクセス規格、例えば、ＧＳＭ(Ｇｌｏｂａｌ  Ｓｙｓｔｅｍ  ｆｏｒ  Ｍｏｂｉｌｅ  Ｃｏｍｍｕｎｉｃａｔｉｏｎ)、ＣＤＭＡ(Ｃｏｄｅ  Ｄｉｖｉｓｉｏｎ  Ｍｕｌｔｉｐｌｅ  Ａｃｃｅｓｓ)、ＷＣＤＭＡ(Ｗｉｄｅｂａｎｄ  ＣＤＭＡ)、ＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)-８０１.１６などが開発されている。しかしながら、このような無線アクセス規格の急増は、携帯電話、ＰＤＡ(Ｐｅｒｓｏｎａｌ  Ｄａｔａ  Ａｓｓｉｓｔａｎｔ)装備、無線ラップトップコンピュータのような無線移動局(又は端末機)に対する不便さと、その製造においての難しさをもたらすようになった。現在のネットワークに対するユーザーの期待は、利用可能ないくつかの規格のみを支援する移動局では充足できない。
【０００３】
これに対処するために、無線移動局は、ＳＤＲ(Ｓｏｆｔｗａｒｅ-Ｄｅｆｉｎｅｄ  Ｒａｄｉｏ)構造に移行し、それによって多重無線インターフェース技術のための単一ハードウェアプラットホームを提供している。半導体工程技術の持続的な発展によって、移動局(又は無線端末機)は、高い比率の信号処理機能が単一ハードウェアプラットホーム上でソフトウェア的な再構成を通じて特定規格又は特定目的の通信送受信システムに変更して多様な無線規格を一つのシステムで提供可能になる。ソフトウェア的な再構成が可能なハードウェアとしては、多様な形態が可能であるが、注文可能型パラメータ及びフレキシブルな相互接続機能を有する固定機能性ブロックがその一例である。このソフトウェア的な再構成が可能なハードウェアは、例えばフィールドプログラマブルゲートアレイ(Ｆｉｅｌｄ  Ｐｒｏｇａｍｍａｂｌｅ  Ｇａｔｅ  Ａｒｒａｙ：ＦＰＧＡ）で実現可能である。
【０００４】
ＳＤＲデザインのために、ボード空間、材料コスト、バッテリー寿命部分の保護のための電流消費、低いレベルの部品個数のような要素を考慮すべきである。なお、いろいろな規格間にローミング(ｒｏａｍｉｎｇ)能力を獲得するための期待は、ＳＤＲ受信器がより迅速なサーチ及びハンドオフ(ｈａｎｄｏｆｆ)を遂行することが要求される。しかしながら、一般的に、より迅速な処理のためには一層大きい電力が必要となる。現在までの無線移動局の開発では、多様な無線規格がいろいろなハードウェアを満たすために必要であった。従来の受信器を設計するために、アナログ素子を用いてエンタイア受信器フロントエンド(ｅｎｔｉｒｅ  ｒｅｃｅｉｖｅｒ  ｆｒｏｎｔ  ｅｎｄ)を実現したＺＩＦ(Ｚｅｒｏ-Ｉｎｔｅｒｍｅｄｉａｔｅ-Ｆｒｅｑｕｅｎｃｙ)構造を用いる。
【０００５】
従来のＺＩＦ構造において、直接方式の下方変換器が広帯域応用に適合しない狭帯域装置を用いる。受信器の設計において、その他の部分では、ＩＦ(Ｉｎｔｅｒｍｅｄｉａｔｅ  Ｆｒｅｑｕｅｎｃｙ)でデジタル化されたことが挙げられる。
【０００６】
受信器フロントエンドでソフトウェア的な再構成が可能なハードウェア素子を最適化して実現した移動局のための技術が必要である。特に、ＩＦレベルでデジタル信号に変換する前に再構成が可能な素子が使用可能な受信器が必要である。
【０００７】
通常に、移動通信サービスは、全世界の国(地域)別に異なる通信サービス方式で提供され、各通信サービス方式別にいくつかの周波数帯域を使用している。例えば、移動通信サービス方式は国(地域)別にＣＤＭＡ方式、ＧＳＭ方式、ＷＣＤＭＡ方式を用いて提供される。ここで、ＣＤＭＡ方式は８００ＭＨｚ、１８００ＭＨｚ、及び１９００ＭＨｚの周波数帯域を、ＧＳＭ方式は８５０ＭＨｚ、９００ＭＨｚ、１８００ＭＨｚ、１９００ＭＨｚの周波数帯域を、そしてＷＣＤＭＡ方式は８５０ＭＨｚ、１９００ＭＨｚ、２０００ＭＨｚを、それぞれ用いる。
【０００８】
従来の無線移動局は、各移動通信サービスの中で希望する通信サービスに対応する一つ又は二つの周波数帯域の信号を利用するように構成されている。その結果、各無線移動局は、世界各国の多様な移動通信サービスの中で一つ又は二つの移動通信サービスだけが利用可能であった。したがって、ユーザーが旅行や出張などによって通信サービスが異なる他地域に行く場合に、自分の移動局を使用することができないという不便さがあった。
【０００９】
それによって、ユーザーは、世界各国のすべての移動通信サービスの提供が可能な移動局を要求するようになる。移動局の製造業者は、このようなユーザーの要求に応じて、一つの移動局で世界各国のすべての移動通信サービスを利用することが可能なように製造するために努力中である。世界各国のすべての移動通信サービスと各サービス別周波数帯域をすべて利用するために、マルチモード/マルチバンドを支援する移動局が要求される。
【発明の開示】
【発明が解決しようとする課題】
【００１０】
したがって、上記のような従来技術の問題点を解決するために、本発明の目的は、ＳＤＲ(Ｓｏｆｔｗａｒｅ-Ｄｅｆｉｎｅｄ  Ｒａｄｉｏ)処理素子の全体電力消費を減少することができるマルチモード/マルチバンド移動局を提供することにある。
【００１１】
このような目的は、より低い中間周波数(ＩＦ)を獲得し、デジタル中間周波数(Ｄｉｇｉｔａｌ  Ｉｎｔｅｒｍｅｄｉａｔｅ  Ｆｒｅｑｕｅｎｃｙ：ＤＩＦ)受信器素子の処理速度を高く要求しないＮＺＩＦ(Ｎｅａｒ-Ｚｅｒｏ  Ｉｎｔｅｒｍｅｄｉａｔｅ  Ｆｒｅｑｕｅｎｃｙ)無線(ＲＦ)受信器フロントエンド構成を用いて実現可能である。また、ＮＺＩＦ  ＲＦ受信器は、ＩＦでより低いサンプリング速度を提供し、ＩＦレベルでデジタル信号処理機能を維持することができる。
【００１２】
この目的は、低い電力消費で多重周波数帯域に充足可能に受信器のＲＦアナログフロントエンドで広帯域ＩＲミキサーの設計を実現することで達成される。また、この目的は、デジタルＩＦフィルタの構成の可能性とより低いサンプリング速度でＤＩＦ部分を動作させ、電力消費を低減させる技術を開発することで実現される。
【００１３】
本発明の他の目的は、多様な無線インターフェース規格に基づいて動作する無線ネットワークで使用可能なマルチモード/マルチバンド移動局を提供することにある。
【００１４】
また、本発明の目的は、同一の周波数帯域の相互に異なるサービスである場合に、同一の周波数帯域の相互に異なるサービス兼用無線送受信機を用いてマルチモード/マルチバンドを支援する移動局を提供することにある。
【００１５】
さらに、本発明の目的は、同一の周波数帯域の相互に異なるサービス兼用無線送受信機を用いてマルチモード/マルチバンドを支援すると同時にダイバシティを支援する移動局を提供することにある。
【課題を解決するための手段】
【００１６】
上記の目的を達成するために、本発明は、多様な無線インターフェース規格に基づいて動作する無線ネットワーク用マルチモード/マルチバンド移動局であって、選択された周波数帯域に各々適合させる複数の低雑音増幅器と、前記複数の低雑音増幅器の中で選択された一つの増幅器から増幅されたＲＦ信号を受信し、前記増幅されたＲＦ信号を下方変換して第１のアナログ中間周波数(ＩＦ)信号を生成するＮＺＩＦ(Ｎｅａｒ-Ｚｅｒｏ  Ｉｎｔｅｒｍｅｄｉａｔｅ  Ｆｒｅｑｕｅｎｃｙ)広帯域映像阻止(Ｉｍａｇｅ  Ｒｅｊｅｃｔｉｏｎ：ＩＲ)ミキサーと、を含むことを特徴とする。
【００１７】
また、本発明は、多様な無線インターフェース規格の下で動作する無線ネットワーク用マルチモード/マルチバンド移動局の動作方法であって、複数の低雑音増幅器のうちの一つを選択して着信無線周波数(ＲＦ)信号を増幅し、複数の低雑音増幅器の各々を選択された周波数帯域に適合させるステップと、ＮＺＩＦ広帯域ＩＲミキサーが、前記選択された低雑音増幅器によって増幅されたＲＦ信号を下方変換して第１のアナログ中間周波数(ＩＦ)信号を生成するステップと、を有することを特徴とする。
【００１８】
本発明は、マルチモード/マルチバンド信号をそれぞれの送信器を通じて送信する送信部と、前記マルチモード/マルチバンドのうちの同一の周波数帯域に該当する信号は、同一の周波数帯域のサービスが異なる一つ以上の無線信号を共に共に受信する兼用受信器を通じて受信し、前記同一の周波数帯域に該当しない信号は異なる周波数帯域別受信器を通じて受信する受信部と、を含むことを特徴とする。
【００１９】
さらに、本発明は、所定の制御下にマルチモード/マルチバンドのうち、受信しようとするモード及び帯域を選択するためのスイッチング動作を遂行するスイッチ部と、前記スイッチング動作によってマルチモード/マルチバンド信号のうち、自分のモード及び帯域の信号を受信する受信器と、前記受信された信号を前記受信しようとするモード及び帯域に対応するローカル周波数を用いて下方変換するミキサーと、所定の制御下に前記受信器のうち、受信しようとするモード及び帯域に対応する受信器の動作を制御し、前記下方変換された受信信号をベースバンド処理し、ベースバンド信号をモード別に区分して出力するベースバンド処理部と、受信しようとするモード及び帯域の信号を受信するための制御信号を出力し、前記ローカル周波数を前記受信しようとするモード及び帯域に対応するローカル周波数で制御し、前記モード別ベースバンド信号をそれぞれのモード別モデムを通じて復調するモデム部と、を含むことを特徴とする。
【発明の効果】
【００２０】
本発明は、マルチモード及びマルチバンド移動局で、デジタル中間周波数(ＤＩＦ)受信器素子の高い処理速度を要求せずに、ＳＤＲ(Ｓｏｆｔｗａｒｅ-Ｄｅｆｉｎｅｄ  Ｒａｄｉｏ)処理素子の電力消費を減少し、中間周波数でのサンプリング速度を低くしつつＩＦレベルでのデジタル信号処理機能を維持可能にする。
【００２１】
また、本発明のマルチモード/マルチバンド移動局は、低い電流消費が可能で、多重周波数帯域を満たすように各受信器のＲＦアナログフロントエンドで広帯域ＩＲミキサーの設計が可能である。また、デジタルＩＦフィルタの構成が可能で、より低いサンプリング速度でデジタルＩＦ部分が動作可能で、それによって電流消費を低減することができる。
【００２２】
本発明によるマルチモード/マルチバンド移動局は、同一の周波数帯域に対してサービス形態が異なっても一つの兼用受信器を使用することによって受信器の個数を減少することができる。また、マルチモード/マルチバンド移動局は、従来のＦＤＤ方式(例えば、ＷＣＤＭＡ方式)のデュプレクサをＴＤＤ方式(例えば、ＧＳＭ８５０又はＰＣＳ１９００方式）にも使用可能である。
【００２３】
なお、本発明のマルチモード/マルチバンド移動局は、メイン受信帯域の受信器とサブ受信帯域の受信器のミキサー各々を一つの統合されたミキサーとして用いることによって、少ないミキサーで実現可能である。
【発明を実施するための最良の形態】
【００２４】
以下、本発明の望ましい実施形態を添付の図面を参照して詳細に説明する。
下記の図面において、同一の構成要素に対してはできるだけ同一の参照番号及び参照符号を付して説明する。なお、本発明に関連した公知の機能或いは構成に関する具体的な説明が本発明の要旨を不明にすると判断された場合に、その詳細な説明を省略する。
【００２５】
図１は、マルチモード/マルチバンド移動局(又は、無線端末機)１１１が多様な無線インターフェース規格下で動作する基地局と通信が可能な無線通信システム１００を示す。図１で、基地局(ＢＳ)１０１は、第１の無線インターフェース規格(例えば、ＣＤＭＡ２０００)に基づいて動作する第１の無線ネットワークの一部分であると仮定する。また、基地局１０２は、第２の無線インターフェース規格(例えば、ＧＳＭ)に基づいて動作する第２の無線ネットワークの一部分であると仮定する。移動局(ＭＳ）１１１は、第１のソフトウェアロード(ｌｏａｄ）で構成(ｃｏｎｆｉｇｕｒａｔｉｏｎ)されて基地局１０１と通信し、第２のソフトウェアロードで再構成されて基地局１０２と通信することができる。ソフトウェアロードは、手動でユーザー入力によって選択され、或いは基地局１０１又は基地局１０２から信号を検出して自動で選択されることが可能である。
【００２６】
本発明は、実質的な移動性装置のみにその使用が限定されるものではない。なお、本発明は、固定式無線端末機のような他のタイプの無線端末機にも一般的に適用される。しかしながら、簡単明瞭さのために移動局のみに関して以下に説明する。請求範囲と以下の説明で使用する用語“移動局(Ｍｏｂｉｌｅ  Ｓｔａｔｉｏｎ)”は、実質的な移動装置(例えば、無線電話機又は無線ラップトップ)、或いは固定式無線端末機(例えば、無線能力を有するデバイスモニター)を包括する意味を有する。
【００２７】
図２は、本発明の第１の実施形態によるマルチモード/マルチバンド移動局１１１を示すブロック構成図である。移動局１１１は、アンテナアレイ２０１と、スイッチプレクサ２０５と、再構成可能(ｒｅｃｏｎｆｉｇｕｒａｂｌｅ)受信通路２１０ａと、再構成可能受信通路２１０ｂと、再構成可能ＳＤＲ(Ｓｏｆｔｗａｒｅ-Ｄｅｆｉｎｅｄ  Ｒａｄｉｏ)モデムブロック２６０とを含む。ＳＤＲモデムブロック２６０は、通常、多目的装置又はセミオーダー型装置で、新規ソフトウェアロードによって必須的に特性を変化させることができる。移動局１１１は、伝送通路２７０及び複数の帯域通過フィルター２７５、例えば帯域通過フィルター(ＢＰＦ)２７５ａ，２７５ｂ，２７５ｃを含む。移動局１１１は、複数の電力増幅器２８０、例えば、電力増幅器(ＰＡ)２８０ａ，２８０ｂ，２８０ｃを含む。
【００２８】
本発明は、同一の二重受信通路(ｄｕａｌ  ｒｅｃｅｉｖｅ  ｐａｔｈ)２１０ａ，２１０ｂを用いてより一層効率的なサーチアルゴリズムを実現し、それによって、ローミング(ｒｏａｍｉｎｇ）動作を一層容易に遂行することが可能である。したがって、ユーザーが異なる無線規格を支援する他のいくつかの地域を移動しても、ユーザーは同一の移動局を使用することができる。二重通路構造は、中間周波数(ＩＦ)フィルターとデジタル中間周波数の遠隔再構成(ｒｅｍｏｔｅ  ｒｅｃｏｎｆｉｇｕｒａｔｉｏｎ）を可能にする。再構成可能受信通路２１０ａと２１０ｂは実質的に同一であるため、以下では、再構成可能受信通路２１０ａのみについて詳細に説明する。しかしながら、再構成可能受信通路２１０ａに関する以下の説明は、再構成可能受信通路２１０ｂに対しても同一の効果で適用される。
【００２９】
再構成可能受信通路２１０ａは、選択可能な低雑音増幅器(ＬＮＡ）からなる入力端２１２と、スイッチ２１５と、広帯域映像阻止(Ｉｍａｇｅ  Ｒｅｊｅｃｔｉｏｎ：ＩＲ)ミキサー２１６と、電圧制御発振器(Ｖｏｌｔａｇｅ  Ｃｏｎｔｒｏｌｌｅｄ  Ｏｓｃｉｌｌａｔｏｒ：ＶＣＯ)及び周波数可変発振器ブロック２１８と、構成可能ブロッキング帯域通過フィルター(ＢＰＦ)２２０と、プログラマブル可変利得増幅器(ＶＧＡ)２２５と、構成可能アンチエイリアス(ａｎｔｉ-ａｌｉａｓ)帯域通過フィルター(ＢＰＦ)２３０とを含む。再構成可能受信通路２１０ａは、プログラマブルアナログ/デジタル変換器(ＡＤＣ)２３５と、ＩＦミキサー２４０と、数値制御発振器(Ｎｕｍｅｒｉｃａｌｌｙ-Ｃｏｎｔｒｏｌｌｅｄ  Ｏｓｃｉｌｌａｔｏｒ：ＮＣＯ)２４５と、デジタルチャンネルフィルターブロック２５０と、リサンプラ(ｒｅ-ｓａｍｐｌｅｒ)２５２と、デジタル/アナログ変換器(ＤＡＣ)２５５と、構成制御器２２９とをさらに含む。
【００３０】
構成制御器２２９は、受信通路２１０ａの構成を制御する。選択された無線インターフェースにより、構成制御器２２９は、命令又は構成パラメータを受信通路２１０ａに含まれる再構成ブロックに伝送してこれら装置の再構成を遂行する。簡略化のために、構成制御器２２９と再構成可能受信通路２１０ａの他の素子との間の接続ラインは図示しない。
【００３１】
選択可能ＬＮＡからなる入力端２１２は、例えば、ＬＮＡ２１２ａ，２１２ｂ，２１２ｃで構成される。選択可能ＬＮＡからなる入力端２１２は、スイッチプレクサ２０５から着信(ｉｎｃｏｍｉｎｇ)ＲＦ信号を受信する。ＬＮＡ２１２ａ，２１２ｂ，２１２ｃの各々は、選択された周波数範囲内でＲＦ信号を増幅するように最適化される。例えば、選択可能ＬＮＡ２１２ａは２.０〜２.１ＧＨｚ範囲で最小消費電力で信号を増幅し、他の選択可能ＬＮＡ２１２ｂは１８００〜１９００ＭＨｚ範囲で最小消費電力で信号を増幅し、選択可能ＬＮＡ２１２ｃは８６０〜９６０ＭＨｚ範囲で最小消費電力で信号を増幅することができる。ＬＮＡを特定周波数帯域に対して最適化して使用することによって、移動局１１１のマルチモード/マルチバンド能力が強化される。
【００３２】
スイッチ２１５は、選択可能ＬＮＡの中で一つの入力のみを選択して広帯域ＩＲミキサー２１６の入力端に印加する。電力消費を減少するために、スイッチ２１５によって選択されないＬＮＡはターンオフされる可能性がある。広帯域ＩＲミキサー２１６は、ＶＣＯ及び周波数可変発振器ブロック２１８からプログラマブル基準信号を受信し、スイッチ２１５によって選択されたＲＦ信号をＩＦレベル、例えば１０ＭＨｚに下方変換(ｄｏｗｎ-ｃｏｎｖｅｒｔ)する。広帯域ＩＲミキサー２１６は、ＮＺＩＦ下方変換を遂行する。ＩＲは広帯域ＩＲミキサーのみで遂行されることが望ましい。
【００３３】
干渉(ｉｎｔｅｒｆｅｒｅｒ)は、広帯域ＩＲミキサー２１６からのＩＦ信号を構成可能ブロッキングＢＰＦ２２０を用いてフィルタリングすることによって除去される。構成可能アンチエイリアスＢＰＦ２３０によって一層フィルタリングが進行された後に、プログラマブルＶＧＡ２２５は、ＡＤＣ２３５のためにＩＦ信号レベルを最適化した所定レベルに調節する。本発明の実施形態で、ＡＤＣ２３５は、秒当たり４０ＭｓｐｓでＩＦ信号をサンプリングする。
【００３４】
ＡＤＣ２３５によって生成されたデジタルＩＦサンプルは、ＩＦミキサー２４０及びＮＣＯ２４５によって基底帯域に下方変換される。ＩＦミキサー２４０からの基底帯域同相Ｉ及び直交位相Ｑの信号は、デジタルチャンネルフィルターブロック２５０によってフィルタリングされる。フィルタリングされた基底帯域のＩ及びＱ信号は、リサンプラ２５２によって再サンプリングされ、ＳＤＲモデムブロック２６０の速度にマッチングされる。ＳＤＲモデムブロックがアナログ入力を受信すると、ＤＡＣ２５５は、デジタルＩ及びＱ信号をアナログ信号に変換する。
【００３５】
ＮＺＩＦ下方変換は、電流変換用で低いサンプリング速度のＤＩＦ(Ｄｉｇｉｔａｌ  Ｉｎｔｅｒｍｅｄｉａｔｅ  Ｆｒｅｑｕｅｎｃｙ)設計を可能にする。広帯域ＩＲミキサー２１６は、高度の線形性ミキサーとして、ＲＦ設計で重要なブロックに該当する。このような新たな構造により、受信器を通じてＤＳＰ(Ｄｉｇｉｔａｌ  Ｓｉｇｎａｌ  Ｐｒｏｃｅｓｓｉｎｇ)機能、すなわちサーチ機能のためのＲＳＳＩ(Ｒｅｃｅｉｖｅｄ  Ｓｉｇｎａｌ  Ｓｔｒｅｎｇｔｈ  Ｉｎｄｉｃａｔｏｒ)測定が可能で、電流消費を最適化することも可能である。
【００３６】
図３は、本発明の第１の実施形態によりマルチモード/マルチバンド移動局１１１によって遂行されるサーチモード動作を示すフローチャート３００である。ここで、受信通路２１０ｂは、第１の無線インターフェース規格による信号を受信すると仮定する。そして、受信通路２１０ａは、設定されたサーチアルゴリズムに基づいて第２の無線インターフェース規格の信号をサーチすると仮定する。スイッチプレクサ２０５は、ＬＮＡ２１２ａ〜２１２ｃのうちいずれか一つの入力端を選択し、この入力端は、第２の無線インターフェース規格にマッチされる周波数帯域に属する(ステップ３０５)。スイッチ２１５は、選択されたＬＮＡの出力を広帯域ＩＲミキサー２１６の入力に接続する(ステップ３１０)。ＶＣＯ及び周波数変調発振器ブロック２１８は、サーチアルゴリズムにマッチされる周波数帯域用チャンネルに対応する周波数を発振し、ＩＲミキサー２１６は、サーチアルゴリズムにマッチされる周波数帯域用チャンネルを通じてＬＮＡ出力を下方変換する(ステップ３１５)。ブロッキングＢＰＦ２２０は、所定のチャンネル帯域幅を用いて下方変換された信号をフィルタリングするように構成される(ステップ３２０)。
【００３７】
デジタルＩＦセクション(すなわち、ＩＦミキサー２４０、ＮＣＯ２４５、フィルターブロック２５０、リサンプラ２５２、及びＤＡＣ２５５）は、各モード(例えば、ＧＳＭ、ＧＰＲＳ(Ｇｅｎｅｒａｌ  Ｐａｃｋｅｔ  Ｒａｄｉｏ  Ｓｙｓｔｅｍ)、ＥＤＧＥ(Ｅｎｈａｎｃｅｄ  Ｄａｔａ  ｒａｔｅ  ｆｏｒ  ＧＳＭ  Ｅｖｏｌｕｔｉｏｎ)、ＣＤＭＡ、ＷＣＤＭＡ、８０２.１１)のために再構成される(ステップ３２５)。受信信号強度（ＲＳＳ）は、ＲＳＳＩをデジタルチャンネルフィルターブロック２５０の出力端に設置することによって測定が可能である(ステップ３３０)。デジタルチャンネルフィルターブロック２５０の出力端での信号強度が受信通路２１０ｂで受信された信号の強度を超えると、ＶＣＯ及び周波数可変発振器ブロック２１８は選択されたチャンネルにロッキング(ｌｏｃｋｉｎｇ)される(ステップ３３５)。モデム２６０は、モード識別を遂行し、アンチエイリアスＢＰＦ２３０を再構成する。
【００３８】
上記した本発明の第１の実施形態によるマルチモード/マルチバンド移動局で、第１の無線インターフェース規格信号を受信する受信通路２１０ｂと、第２の無線インターフェース規格信号を受信する受信通路２１０ａの各々に帯域別低雑音増幅器(ＬＮＡ)を有する。そして、マルチモード/マルチバンド移動局は、二重受信通路に含まれているそれぞれの帯域別ＬＮＡの一つの入力を選択して通信を遂行する。
【００３９】
したがって、本発明の第１の実施形態による構成に基づき、多様な無線インターフェース規格下で動作する無線ネットワークで使用が可能なマルチモード/マルチバンド移動局(又は端末機）が提供可能である。
【００４０】
本発明の第２の実施形態によるマルチモード/マルチバンド移動局は、帯域別ＬＮＡの一つの入力を選択して通信を遂行するが、各無線インターフェース規格ごとに共通の周波数帯域に対しては兼用ＬＮＡを使用するように構成される。
【００４１】
以下に、本発明の第２の実施形態によるマルチモード/マルチバンド移動局について詳細に説明する。図４は、本発明の第２の実施形態によるマルチモード/マルチバンド移動局を示すブロック構成図である。図４では、第１の無線インターフェース規格、すなわちＷＣＤＭＡサービスに該当するＷＣＤＭＡ２０００ＭＨｚ、ＷＣＤＭＡ１９００ＭＨｚ、ＷＣＤＭＡ８５０ＭＨｚ帯域と、第２の無線インターフェース規格、すなわちＧＳＭサービスに該当するＧＳＭ８５０ＭＨｚ、ＧＳＭ９００ＭＨｚ、ＤＣＳ(Ｄｉｇｉｔａｌ  Ｃｅｌｌｕｌａｒ  Ｓｙｓｔｅｍ)１８００ＭＨｚ、ＰＣＳ(Ｐｅｒｓｏｎａｌ  Ｃｏｍｍｕｎｉｃａｔｉｏｎ  Ｓｙｓｔｅｍ)１９００ＭＨｚ帯域を支援する移動局の一例を示す。
【００４２】
図４を参照すると、本発明の第２の実施形態によるマルチモード/マルチバンド移動局は、送信部４１０と、受信部４２０と、デュプレクス部４３０と、スイッチ及びパワー増幅部(Ｐｏｗｅｒ  Ａｍｐｌｉｆｉｅｒ  Ｍｏｄｕｌｅ)４４０と、第１のアンテナスイッチ４５０と、第２のアンテナスイッチ４６０とを含む。
【００４３】
送信部４１０は、各サービス及び周波数帯域別送信器を含み、各送信器を通じて該当通信サービス及び周波数帯域に対応する信号を送信する。送信部４１０は、例えば、ＦＤＤ(Ｆｒｅｑｕｅｎｃｙ  Ｄｉｖｉｓｉｏｎ  Ｄｕｐｌｅｘ)方式の第１の無線インターフェース規格に基づいた無線信号を送信するためのＷＣＤＭＡ２０００送信器４１１、ＷＣＤＭＡ１９００送信器４１２、ＷＣＤＭＡ８５０送信器４１３と、ＴＤＤ(Ｔｉｍｅ  Ｄｉｖｉｓｉｏｎ  Ｄｕｐｌｅｘ)方式の第２の無線インターフェース規格に基づいた無線信号を送信するためのＤＣＳ１８００/ＰＣＳ１９００送信器４１４、ＧＳＭ８５０/ＧＳＭ９００送信器４１５とを含んで構成可能である。送信部４１０は、ＷＣＤＭＡ２０００送信器４１１を通じてＷＣＤＭＡ２０００ＭＨｚ帯域の信号を送信し、ＷＣＤＭＡ１９００送信器４１２を通じてＷＣＤＭＡ１９００ＭＨｚ帯域の信号を送信し、ＷＣＤＭＡ８５０送信器４１３を通じてＷＣＤＭＡ８５０ＭＨｚ帯域の信号を送信する。また、送信部４１０は、ＤＣＳ１８００/ＰＣＳ１９００送信器４１４を通じてＤＣＳ１８００ＭＨｚ又はＰＣＳ１９００ＭＨｚ帯域の信号を送信し、ＧＳＭ８５０/ＧＳＭ９００送信器４１５を通じてＧＳＭ８５０ＭＨｚ又はＧＳＭ９００ＭＨｚ帯域の信号を送信する。
【００４４】
受信部４２０は、マルチモード/マルチバンドを支援するために各サービス及び周波数帯域別受信器を含み、特に、同一の周波数帯域のサービスが異なっても利用可能な兼用ＬＮＡを備える兼用受信器を含む。また、受信部４２０は、ＷＣＤＭＡダイバシティを支援するためのダイバシティ受信器４７０を含む。
【００４５】
この受信部４２０は、例えばＷＣＤＭＡ２０００受信器４２１と、ＷＣＤＭＡ/ＰＣＳ１９００兼用受信器４２２と、ＷＣＤＭＡ/ＧＳＭ８５０兼用受信器４２３と、ＤＣＳ１８００受信器４２４と、ＧＳＭ９００受信器４２５と、ＷＣＤＭＡ２０００ダイバシティ受信器４２６と、ＷＣＤＭＡ１９００ダイバシティ受信器４２７と、ＷＣＤＭＡ８５０ダイバシティ受信器４２８とを含む。
【００４６】
ＷＣＤＭＡ/ＰＣＳ１９００兼用受信器４２２とＷＣＤＭＡ/ＧＳＭ８５０兼用受信器４２３は、同一の周波数帯域の相互に異なるサービス信号が受信可能な兼用受信器である。そして、ＣＤＭＡ２０００ダイバシティ受信器４２６、ＷＣＤＭＡ１９００ダイバシティ受信器４２７、及びＷＣＤＭＡ８５０ダイバシティ受信器４２８は、ＷＣＤＭＡダイバシティを支援するためのダイバシティ受信器である。
【００４７】
受信部４２０は、ＷＣＤＭＡ２０００受信器４２１、ＤＣＳ１８００受信器４２４、ＧＳＭ９００受信器４２５の各々を通じて一つのサービス及び周波数帯域、すなわち、ＷＣＤＭＡ２０００ＭＨｚ帯域の信号、ＤＣＳ１８００ＭＨｚ帯域の信号、ＧＳＭ９００ＭＨｚ帯域の信号を各々受信する。また、受信部４２０は、ＷＣＤＭＡ/ＰＣＳ１９００兼用受信器４２２とＷＣＤＭＡ/ＧＳＭ８５０兼用受信器４２３のような兼用受信器を通じて同一の周波数帯域の相互に異なるサービス信号を受信する。すなわち、受信部４２０は、ＷＣＤＭＡ/ＰＣＳ１９００兼用受信器４２２を通じてＷＣＤＭＡ１９００ＭＨｚ帯域の信号又はＰＣＳ１９００ＭＨｚ帯域の信号を受信し、ＷＣＤＭＡ/ＧＳＭ８５０兼用受信器４２３を通じてＷＣＤＭＡ８５０ＭＨｚ帯域の信号又はＧＳＭ８５０ＭＨｚ帯域の信号を受信する。また、受信部４２０は、ＷＣＤＭＡ２０００ダイバシティ受信器４２６を通じてＷＣＤＭＡ２００ＭＨｚ帯域のダイバシティ信号を受信し、ＷＣＤＭＡ１９００ダイバシティ受信器４２７を通じてＷＣＤＭＡ１９００ＭＨｚ帯域のダイバシティ信号を受信し、ＷＣＤＭＡ８５０ダイバシティ受信器４２８を通じてＷＣＤＭＡ８５０ＭＨｚ帯域のダイバシティ信号を受信する。
【００４８】
デュプレクス部４３０は、送信部(410）の送信器のうち、ＦＤＤ方式を使用するＷＣＤＭＡ２０００送信器４１１、ＷＣＤＭＡ１９００送信器４１２、ＷＣＤＭＡ８５０送信器４１３に接続され、受信部４２０の受信器のうち、ＦＤＤ方式を使用するＷＣＤＭＡ２０００受信器４２１及びＦＤＤ方式とＴＤＤ方式を共に使用するＷＣＤＭＡ/ＰＣＳ１９００兼用受信器４２２、ＷＣＤＭＡ/ＧＳＭ８５０兼用受信器４２３に接続される。このようなデュプレクス部４３０は、各送信器４１１，４１２，４１３から出力される送信信号と、ＷＣＤＭＡ２０００受信器４２１、ＷＣＤＭＡ/ＰＣＳ１９００兼用受信器４２２、ＷＣＤＭＡ/ＧＳＭ８５０兼用受信器４２３に該当する受信信号とを分離する。従来の技術で、デュプレクス部４３０は、ＦＤＤ方式、例えばアップストリームとダウンストリームに対して相互に異なる周波数帯域を用いる方式に基づいたＷＣＤＭＡ信号のみに対する送信信号を受信信号から分離するのに使用された。しかしながら、本実施形態では、ＦＤＤ方式の信号(ＷＣＤＭＡ信号)とＴＤＤ方式の信号(ＧＳＭ８５０又はＰＣＳ１９００方式)が兼用受信器によって受信されるため、デュプレクス部４３０は、ＦＤＤ方式だけでなくＴＤＤ方式の受信部フィルターとしての役割も果たす。
【００４９】
スイッチ及びパパワー増幅部４４０は、送信部４１０の送信器の中でＤＣＳ１８００/ＰＣＳ１９００送信器４１４、ＧＳＭ８５０/ＧＳＭ９００送信器４１５に接続され、受信部４２０の受信器の中でＤＣＳ１８００受信器４２４、ＧＳＭ９００信器４２５に接続される。このスイッチ及びパワー増幅部４４０は、ＤＣＳ１８００/ＰＣＳ１９００送信器４１４又はＧＳＭ８５０/ＧＳＭ９００送信器４１５から出力される送信信号と、ＤＣＳ１８００受信器４２４又はＧＳＭ９００受信器４２５に該当する受信信号とを分離する。スイッチ及びパワー増幅部４４０は、ＤＣＳ１８００/ＰＣＳ１９００送信器４１４によって支援されるＤＣＳ１８００ＭＨｚ帯域とＰＣＳ１９００ＭＨｚ帯域から送信しようとする周波数帯域を選択し、ＧＳＭ８５０/ＧＳＭ９００送信器４１５によって支援されるＧＳＭ８５０ＭＨｚ帯域とＧＳＭ９００ＭＨｚ帯域から送信しようとする周波数帯域を選択する。また、スイッチ及びパワー増幅部４４０は、ＤＣＳ１８００/ＰＣＳ１９００送信器４１４から出力されるＤＣＳ１８００ＭＨｚ帯域とＰＣＳ１９００ＭＨｚ帯域の送信信号の電力(ｐｏｗｅｒ)を増幅し、ＧＳＭ８５０/ＧＳＭ９００送信器４１５から出力されるＧＳＭ８５０ＭＨｚ帯域とＧＳＭ９００ＭＨｚ帯域の送信信号の電力を増幅する。
【００５０】
第１のアンテナスイッチ４５０は、デュプレクス部４３０とスイッチ及びパワー増幅部４４０に接続され、アンテナとデュプレクス部４３０との間にスイッチングを遂行し、アンテナとスイッチ及びパワー増幅部４４０との間にスイッチングを遂行する。
【００５１】
第２のアンテナスイッチ４６０は、それぞれのダイバシティ受信器４２６，４２７，４２８に接続され、アンテナとダイバシティ受信器４２６，４２７，４２８との間にスイッチングを遂行する。
【００５２】
本発明の第２の実施形態により、上記のように構成されたマルチモード/マルチバンド移動局は、サービス形態、すなわちモードが異なっても同一の周波数帯域に対しては一つの兼用受信器を利用し、従来のＦＤＤ方式(例えば、ＷＣＤＭＡ方式)のみに使用したデュプレクサをＴＤＤ方式(例えば、ＧＳＭ８５０又はＰＣＳ１９００方式）にも使用することが可能になり、それによって従来のマルチモード/マルチバンド移動局より受信器の個数を減少することができる。
【００５３】
一方、本発明の実施形態によるマルチモード/マルチバンド移動局は、全世界的に利用されるすべての移動通信サービスと周波数帯域を支援するように構成され、特定地域(国)で利用される移動通信サービスと周波数帯域を支援するように構成されることができる。
【００５４】
図５は、本発明の実施形態によるマルチモード/マルチバンド移動局によって支援されるサービスと周波数帯域を示すテーブルである。図５を参照すると、世界型は、本発明の実施形態によるマルチモード/マルチバンド移動局が全世界的に利用されるすべての移動通信サービスと周波数帯域を支援する場合を示す。ヨーロッパ型は、本発明の実施形態によるマルチモード/マルチバンド移動局がヨーロッパ地域に該当する移動通信サービスと周波数帯域を支援する場合を示す。米国型は、本発明の実施形態によるマルチモード/マルチバンド移動局が米国地域に該当する移動通信サービスと周波数帯域を支援する場合を示す。
【００５５】
本発明の第２の実施形態によりマルチモード/マルチバンド移動局が世界型として実現される場合について説明する。マルチモード/マルチバンド移動局が世界型として実現される場合に、世界で最も多く使用されるＷＣＤＭＡ２０００ＭＨｚ、ＷＣＤＭＡ１９００ＭＨｚ、ＷＣＤＭＡ８５０ＭＨｚ、ＧＳＭ/ＧＰＲＳ/ＥＤＧＥ１９００ＭＨｚ、及びＧＳＭ/ＧＰＲＳ/ＥＤＧＥ８５０ＭＨｚ帯域は、メイン受信器を使用する。そして、ＧＳＭ/ＧＰＲＳ/ＥＤＧＥ１８００ＭＨｚ、ＧＳＭ/ＧＰＲＳ/ＥＤＧＥ９００ＭＨｚ帯域、及びダイバシティ帯域は、サブ受信器を使用する。
【００５６】
本発明の第２の実施形態によるマルチモード/マルチバンド移動局が世界型で実現される場合は図６に示す。図６は、本発明の第２の実施形態による世界型マルチモード/マルチバンド移動局の具体的な回路図である。
【００５７】
図６を参照すると、送信部６１０は、ＦＤＤ方式に基づいて無線信号を送信するためのＷＣＤＭＡ２０００送信器６１１、ＷＣＤＭＡ１９００送信器６１２、ＷＣＤＭＡ８５０送信器６１３と、ＴＤＤ方式に基づいて無線信号を送信するためのＤＣＳ１８００/ＰＣＳ１９００送信器６１４、ＧＳＭ８５０/ＧＳＭ９００送信器６１５とを含む。送信器６１１〜６１５は、各々送信信号の電力を増幅するための５個の増幅器(Ｐｒｅ-Ｐｏｗｅｒ  Ａｍｐｌｉｆｉｅｒ：ＰＰＡ)を含む。
【００５８】
受信部６２０は、全世界的に使用されるＷＣＤＭＡ２０００ＭＨｚ、ＷＣＤＭＡ１９００ＭＨｚ、ＷＣＤＭＡ８５０ＭＨｚ、ＧＳＭ/ＧＰＲＳ/ＥＤＧＥ(ＰＣＳ)１９００ＭＨｚ、ＧＳＭ/ＧＰＲＳ/ＥＤＧＥ(ＧＳＭ)８５０ＭＨｚ、ＧＳＭ/ＧＰＲＳ/ＥＤＧＥ１８００ＭＨｚ、ＧＳＭ/ＧＰＲＳ/ＥＤＧＥ９００ＭＨｚ帯域を受信するための受信器を含む。受信部６２０は、上記したように各モード及び周波数帯域別に信号をそれぞれ受信するための個別的な受信器を含むが、サービスは異なっても同一の周波数帯域であるＷＣＤＭＡ１９００ＭＨｚ帯域とＧＳＭ/ＧＰＲＳ/ＥＤＧＥ１９００ＭＨｚ帯域に該当するＰＣＳ１９００ＭＨｚ帯域と、ＷＣＤＭＡ８５０ＭＨｚ帯域とＧＳＭ/ＧＰＲＳ/ＥＤＧＥ８５０ＭＨｚ帯域に該当するＧＳＭ８５０ＭＨｚ帯域に対しては兼用受信器を利用する。また、受信部６２０は、ＷＣＤＭＡ２０００ＭＨｚ、ＷＣＤＭＡ１９００ＭＨｚ、ＷＣＤＭＡ８５０ＭＨｚ帯域のダイバシティを支援するためのダイバシティ受信器を含む。
【００５９】
したがって、受信部６２０は、ＷＣＤＭＡ２０００受信器６２１と、ＷＣＤＭＡ/ＰＣＳ１９００兼用受信器６２２と、ＷＣＤＭＡ/ＧＳＭ８５０兼用受信器６２３と、ＤＣＳ１８００受信器６２４と、ＧＳＭ９００受信器６２５と、ＷＣＤＭＡ２０００ダイバシティ受信器６２６と、ＷＣＤＭＡ１９００ダイバシティ受信器６２７と、ＷＣＤＭＡ８５０ダイバシティ受信器６２８とを含んで構成される。
【００６０】
ＷＣＤＭＡ２０００受信器６２１は、メインアンテナを通じて受信される低い信号をＷＣＤＭＡ２０００サービスに基づいて増幅する第１のＬＮＡ２１を含む。
【００６１】
ＷＣＤＭＡ/ＰＣＳ１９００兼用受信器６２２は、メインアンテナを通じて受信される低い信号をＷＣＤＭＡ１９００サービス方式又はＧＳＭ/ＧＰＲＳ/ＥＤＧＥ１９００サービス方式、すなわちＰＣＳ１９００サービス方式に基づいて増幅する第２のＬＮＡ２２を含む。ＷＣＤＭＡ/ＧＳＭ８５０兼用受信器６２３は、メインアンテナを通じて受信される低い信号をＷＣＤＭＡ８５０サービス方式又はＧＳＭ/ＧＰＲＳ/ＥＤＧＥ８５０サービス方式、すなわちＧＳＭ８５０サービス方式に基づいて増幅する第３のＬＮＡ２３を含む。ＤＣＳ１８００受信器６２４は、メインアンテナを通じて受信されたＤＣＳ１８００ＭＨｚ帯域の受信信号を通過させ、送信信号による漏れ信号は通過しない帯域通過フィルター(ＢＰＦ)１４と、受信されたＤＣＳ１８００ＭＨｚ帯域の受信信号を増幅する第４のＬＮＡ２４とを含む。
【００６２】
ＧＳＭ９００受信器６２５は、メインアンテナを通じて受信されるＧＳＭ９００ＭＨｚ帯域の受信信号を通過させ、送信信号による漏れ信号は通過させない帯域通過フィルター１５と、受信されたＧＳＭ９００ＭＨｚ帯域の受信信号を増幅する第５のＬＮＡ２５を含む。
【００６３】
ダイバシティ受信器６７０は、各々、サブアンテナを通じて受信されたダイバシティ受信帯域の信号を通過させ、送信信号による漏れ信号は通過させない帯域通過フィルター１６〜１８と、各ダイバシティ信号を増幅するＬＮＡ２６〜２８とを含む。
【００６４】
デュプレクス部６３０は、ＷＣＤＭＡ２０００送信器６１１及びＷＣＤＭＡ２０００受信器６２１に接続される第１のデュプレクサ６３１と、ＷＣＤＭＡ１９００送信器６１２とＷＣＤＭＡ/ＰＣＳ１９００兼用受信器６２２に接続される第２のデュプレクサ６３２と、ＷＣＤＭＡ８５０送信器６１３とＷＣＤＭＡ/ＧＳＭ８５０兼用受信器６２３に接続される第３のデュプレクサ６３３とを含む。第１のデュプレクサ６３１は、ＷＣＤＭＡ２０００送信器６１１から出力されるＷＣＤＭＡ２０００ＭＨｚ送信信号をメインアンテナに出力し、ＷＣＤＭＡ２０００ＭＨｚ受信信号をＷＣＤＭＡ２０００受信器６２１に出力する。第２のデュプレクサ６３２は、ＷＣＤＭＡ１９００送信器６１２から出力されるＷＣＤＭＡ１９００ＭＨｚ送信信号をメインアンテナに出力し、ＷＣＤＭＡ/ＰＣＳ１９００ＭＨｚ受信信号をＷＣＤＭＡ/ＰＣＳ１９００兼用受信器６２２に出力する。第３のデュプレクサ６３３は、ＷＣＤＭＡ８５０送信器６１３から出力されるＷＣＤＭＡ８５０ＭＨｚ送信信号をメインアンテナに出力し、ＷＣＤＭＡ/ＧＳＭ８５０ＭＨｚ受信信号をＷＣＤＭＡ/ＧＳＭ８５０兼用受信器６２３に出力する。
【００６５】
スイッチ及びパワー増幅部６４０は、送信部６１０の送信器の中でＤＣＳ１８００/ＰＣＳ１９００送信器６１４、ＧＳＭ８５０/ＧＳＭ９００送信器６１５に接続され、受信部６２０の受信器の中でＤＣＳ１８００受信器６２４、ＧＳＭ９００受信器６２５に接続される。このスイッチ及びパワー増幅部６４０は、各送受信信号の送受信及び帯域を選択する送受信及び帯域選択スイッチ６４１と、各送信信号のパワーを増幅するための第１のパワー増幅器６４２及び第２のパワー増幅器６４３とを含む。
【００６６】
送受信及び帯域選択スイッチ６４１は、ＤＣＳ１８００/ＰＣＳ１９００送信器６１４及びＧＳＭ８５０/ＧＳＭ９００送信器６１５から出力されるそれぞれのＤＣＳ１８００/ＰＣＳ１９００ＭＨｚ帯域の送信信号とＧＳＭ８５０/ＧＳＭ９００ＭＨｚ帯域の送信信号を選択的にメインアンテナに出力するためのスイッチングを遂行する。また、送受信及び帯域選択スイッチ６４１は、メインアンテナを通じて受信されたＤＣＳ１８００ＭＨｚ帯域の受信信号とＧＳＭ９００ＭＨｚ帯域の受信信号を各々該当するＤＣＳ１８００受信器６２４、ＧＳＭ９００受信器６２５に出力するためのスイッチングを遂行する。送受信及び帯域選択スイッチ６４１は、ＤＣＳ１８００/ＰＣＳ１９００送信器６１４が支援するＤＣＳ１８００ＭＨｚ帯域とＰＣＳ１９００ＭＨｚ帯域のうち、送信しようとする周波数帯域を選択し、ＧＳＭ８５０/ＧＳＭ９００送信器６１５が支援するＧＳＭ８５０ＭＨｚ帯域とＧＳＭ９００ＭＨｚ帯域のうち、送信しようとする周波数帯域を選択するためのスイッチングを遂行する。第１のパワー増幅器６４２は、ＤＣＳ１８００/ＰＣＳ１９００送信器６１４から出力されるＤＣＳ１８００ＭＨｚ帯域とＰＣＳ１９００ＭＨｚ帯域の送信信号のパワーを増幅する。第２のパワー増幅器６４３は、ＧＳＭ８５０/ＧＳＭ９００送信器６１５から出力されるＧＳＭ８５０ＭＨｚ帯域とＧＳＭ９００ＭＨｚ帯域の送信信号のパワーを増幅する。
【００６７】
第１のアンテナスイッチ６５０は、デュプレクス部６３０及びスイッチ及びパワー増幅部６４０に接続され、メインアンテナとデュプレクス部６３０との間のスイッチングを遂行し、メインアンテナとスイッチ及びパワー増幅部６４０との間のスイッチングを遂行する。
【００６８】
第２のアンテナスイッチ６６０は、それぞれのダイバシティ受信器６２６〜６２８に接続され、サブアンテナとダイバシティ受信器６２６〜６２８との間にスイッチングを遂行する。
【００６９】
第１のミキサー６８０は、メイン受信帯域のＷＣＤＭＡ２０００受信器６２１、ＷＣＤＭＡ/ＰＣＳ１９００兼用受信器６２２、ＷＣＤＭＡ/ＧＳＭ８５０兼用受信器６２３の各々に接続され、各受信器６２１〜６２３から受信された高い帯域の周波数を低い帯域の周波数に変換する。
【００７０】
第２のミキサー６９０は、サブ受信帯域のＤＣＳ１８００受信器６２４、ＧＳＭ９００受信器６２５、ダイバシティ受信器６２６〜６２８に各々接続され、各サブ帯域の受信器６２４〜６２８から受信された高い帯域の周波数を低い帯域の周波数に変換する。
【００７１】
上述したように、本発明の第２の実施形態による世界型マルチモード/マルチバンド移動局は、サービス(ＷＣＤＭＡ/ＧＳＭ/ＧＰＲＳ/ＥＤＧＥ)は異なるが、同一の周波数帯域(１９００ＭＨｚ又は８５０ＭＨｚ）の信号を受信する兼用受信器を使用する。受信部６２０の受信器の中で、ＷＣＤＭＡ/ＰＣＳ１９００兼用受信器６２２とＷＣＤＭＡ/ＧＳＭ８５０兼用受信器６２３が兼用受信器である。このようなＷＣＤＭＡ/ＰＣＳ１９００兼用受信器６２２の第２のＬＮＡ２２は、ＷＣＤＭＡ１９００信号を受信する場合にＷＣＤＭＡ１９００サービス方式に基づいて受信信号を増幅し、ＰＣＳ１９００信号を受信する場合にＰＣＳ１９００サービス方式に基づいて受信信号を増幅する。ＷＣＤＭＡ/ＧＳＭ８５０兼用受信器６２３の第３のＬＮＡ２３は、ＷＣＤＭＡ８５０信号を受信する場合にＷＣＤＭＡ８５０サービス方式に基づいて受信信号を増幅し、ＧＳＭ８５０信号を受信する場合にＧＳＭ８５０サービス方式に基づいて受信信号を増幅する。
【００７２】
本発明の第１の実施形態では、単一サービス方式の受信信号のみを増幅するＬＮＡを使用したため、各サービスごとに別個のＬＮＡを使用すべきである。しかしながら、本発明の第２の実施形態では、上記したように、同一の帯域であれば、相互に異なるサービス方式の受信信号(ＷＣＤＭＡ信号又はＰＣＳ信号、ＷＣＤＭＡ信号又はＧＳＭ信号)を共に増幅可能な兼用ＬＮＡ２２，２３を用いることによって、ＬＮＡの個数が減少し、それぞれのサービスに対して別個の受信器を備えなくてもよい。
【００７３】
また、上記したように、本発明の第２の実施形態によるマルチモード/マルチバンド移動局は、メイン受信帯域の受信器６２１〜６２３とサブ受信帯域の受信器６２４〜６２８に必要なミキサーを各々一つで統合されたミキサー６８０、６９０を用いることによって少ない個数のミキサーを必要とする。
【００７４】
上記では、全世界で使用する周波数サービス及び周波数帯域を支援するマルチモード/マルチバンド移動局を一例として説明した。しかしながら、ヨーロッパ地域では、ＷＣＤＭＡ１９００ＭＨｚ帯域とＷＣＤＭＡ８５０ＭＨｚ帯域の通信サービスを提供しないため、ＷＣＤＭＡ１９００ＭＨｚ帯域とＷＣＤＭＡ８５０ＭＨｚ帯域の送受信機が不必要である。
【００７５】
したがって、ヨーロッパ地域で使用するＷＣＤＭＡ２０００ＭＨｚ帯域、ＰＣＳ１９００ＭＨｚ帯域、ＤＣＳ１８００ＭＨｚ帯域、ＧＳＭ９００ＭＨｚ帯域、ＧＳＭ８５０ＭＨｚ帯域を支援するマルチモード/マルチバンド移動局について、以下に説明する。
【００７６】
特に、図５に示すように、ヨーロッパでは、ＷＣＤＭＡ２０００ＭＨｚ帯域がメイン受信帯域で、ＰＣＳ１９００ＭＨｚ帯域、ＤＣＳ１８００ＭＨｚ帯域、ＧＳＭ９００ＭＨｚ帯域、及びＧＳＭ８５０ＭＨｚ帯域がサブ受信帯域である。したがって、本発明の第２の実施形態によるヨーロッパ型マルチモード/マルチバンド移動局では、ＷＣＤＭＡ２０００受信器をメイン受信器として使用し、ＰＣＳ１９００ＭＨｚ帯域、ＤＣＳ１８００ＭＨｚ帯域、ＧＳＭ９００ＭＨｚ帯域、ＧＳＭ８５０ＭＨｚ帯域をサブ受信器として使用する場合について説明する。
【００７７】
本発明の実施形態によるヨーロッパ型マルチモード/マルチバンド移動局は、図７に示す。図７は、本発明の実施形態によるヨーロッパ型マルチモード/マルチバンド移動局の具体的な回路図である。
【００７８】
図７を参照すると、本発明の実施形態によるヨーロッパ型マルチモード/マルチバンド移動局の送信部７１０は、ＷＣＤＭＡ２０００送信器７１１と、ＤＣＳ１８００/ＰＣＳ１９００送信器７１２と、ＧＳＭ８５０/ＧＳＭ９００送信器７１３とを含む。このような送信器７１１〜７１３は、各々自分のサービス及び周波数帯域に対応する送信信号を出力する。
【００７９】
受信部７２０は、ＷＣＤＭＡ２０００ＭＨｚ、ＧＳＭ/ＧＰＲＳ/ＥＤＧＥ(ＰＣＳ)１９００ＭＨｚ、ＧＳＭ/ＧＰＲＳ/ＥＤＧＥ(ＧＳＭ)８５０ＭＨｚ、ＧＳＭ/ＧＰＲＳ/ＥＤＧＥ(ＤＣＳ)１８００ＭＨｚ、及びＧＳＭ/ＧＰＲＳ/ＥＤＧＥ(ＧＳＭ)９００ＭＨｚ帯域を受信するための受信器を含む。
【００８０】
すなわち、受信部７２０は、ＷＣＤＭＡ２０００受信器７２１、ＰＣＳ１９００受信器７２２、ＧＳＭ８５０受信器７２３、ＤＣＳ１８００受信器７２４、ＧＳＭ９００受信器７２５、及びＷＣＤＭＡ２０００(Ｄ)ダイバシティ受信器７２６で構成される。
【００８１】
ＷＣＤＭＡ２０００受信器７２１は、メインアンテナを通じて受信される低い信号をＷＣＤＭＡ２０００サービスに基づいて増幅するＬＮＡ６１を含む。
【００８２】
ＰＣＳ１９００受信器７２２は、メインアンテナを通じて受信されたＰＣＳ１９００ＭＨｚ帯域の受信信号を通過させ、送信信号による漏れ信号は通過させない帯域通過フィルター５２と、受信されたＰＣＳ１９００ＭＨｚ帯域の受信信号を増幅するＬＮＡ６２とを含む。ここで、ＬＮＡ６２は、ＷＣＤＭＡ１９００ＭＨｚ信号とＰＣＳ１９００ＭＨｚ信号を共に増幅する兼用ＬＮＡであるが、本発明の実施形態によるヨーロッパ型で、ＷＣＤＭＡ１９００ＭＨｚ信号を受信する必要がないため、ＰＣＳ１９００ＭＨｚ信号のみを増幅するように動作する。
【００８３】
ＧＳＭ８５０受信器７２３は、メインアンテナを通じて受信されたＧＳＭ８５０ＭＨｚ帯域の受信信号を通過させ、送信信号による漏れ信号は通過させない帯域通過フィルター５３と、受信されたＧＳＭ８５０ＭＨｚ帯域の受信信号を増幅するＬＮＡ６３とを含む。ここで、ＬＮＡ６３はＷＣＤＭＡ８５０ＭＨｚ信号とＧＳＭ８５０ＭＨｚ信号を共に増幅する兼用ＬＮＡであるが、本発明の実施形態によるヨーロッパ型では、ＷＣＤＭＡ８５０ＭＨｚ信号を受信する必要がないため、ＧＳＭ８５０ＭＨｚ信号のみを増幅するように動作する。
【００８４】
ＤＣＳ１８００受信器７２４は、メインアンテナを通じて受信されたＤＣＳ１８００ＭＨｚ帯域の受信信号を通過させ、送信信号による漏れ信号は通過させない帯域通過フィルター５４と、受信されたＤＣＳ１８００ＭＨｚ帯域の受信信号を増幅するＬＮＡ６４とを含む。
【００８５】
ＧＳＭ９００受信器７２５は、メインアンテナを通じて受信されたＧＳＭ９００ＭＨｚ帯域の受信信号を通過させ、送信信号による漏れ信号は通過させない帯域通過フィルター５５と、受信されたＧＳＭ９００ＭＨｚ帯域の受信信号を増幅するＬＮＡ６５とを含む。
【００８６】
ＷＣＤＭＡ２０００ダイバシティ受信器７２６は、サブアンテナを通じて受信されたＷＣＤＭＡ２０００ＭＨｚ帯域のダイバシティ信号を通過させ、送信信号による漏れ信号は通過させない帯域通過フィルター５６と、そのダイバシティ信号を増幅するＬＮＡ６６とを含む。
【００８７】
デュプレクス部７３０は、ＷＣＤＭＡ２０００送信器７１１及びＷＣＤＭＡ２０００受信器７２１に接続されるデュプレクサ７３１を含む。このデュプレクサ７３１は、ＷＣＤＭＡ２０００送信器７１１から出力されるＷＣＤＭＡ２０００ＭＨｚ送信信号をメインアンテナに出力し、ＷＣＤＭＡ２０００ＭＨｚ受信信号をＷＣＤＭＡ２０００受信器７２１に出力する。
【００８８】
スイッチ及びパワー増幅部７４０は、送信部７１０のＤＣＳ１８００/ＰＣＳ１９００送信器７１２、ＧＳＭ８５０/ＧＳＭ９００送信器７１３に接続され、受信部７２０のＰＣＳ１９００受信器７２２、ＧＳＭ８５０受信器７２３、ＤＣＳ１８００受信器７２４、ＧＳＭ９００受信器７２５に接続される。そして、スイッチ及びパワー増幅部７４０は、各送受信信号の送受信及び帯域を選択する送受信及び帯域選択スイッチ７４１と、各送信信号のパワーを増幅するための第１及び第２のパワー増幅器７４２，７４３とを含む。
【００８９】
送受信及び帯域選択スイッチ７４１は、ＤＣＳ１８００/ＰＣＳ１９００送信器７１２及びＧＳＭ８５０/ＧＳＭ９００送信器７１３から出力される送信信号と、各ＰＣＳ１９００受信器７２２、ＧＳＭ８５０受信器７２３、ＤＣＳ１８００受信器７２４、及びＧＳＭ９００受信器７２５に該当する受信信号とを分離する。そして、送受信及び帯域選択スイッチ７４１は、ＤＣＳ１８００/ＰＣＳ１９００送信器７１２が支援するＤＣＳ１８００ＭＨｚ帯域とＰＣＳ１９００ＭＨｚ帯域の中で送信しようとする周波数帯域を選択し、ＧＳＭ８５０/ＧＳＭ９００送信器７１３が支援するＧＳＭ８５０ＭＨｚ帯域とＧＳＭ９００ＭＨｚ帯域の中で送信しようとする周波数帯域を選択する。また、第１のパワー増幅器７４２は、ＤＣＳ１８００/ＰＣＳ１９００送信器７１２から出力されるＤＣＳ１８００ＭＨｚ帯域とＰＣＳ１９００ＭＨｚ帯域の送信信号のパワーを増幅する。第２のパワー増幅器７４３は、ＧＳＭ８５０/ＧＳＭ９００送信器７１３から出力されるＧＳＭ８５０ＭＨｚ帯域とＧＳＭ９００ＭＨｚ帯域の送信信号のパワーを増幅する。
【００９０】
第１のアンテナスイッチ７５０は、デュプレクス部７３０及びスイッチ及びパワー増幅部７４０に接続され、メインアンテナとデュプレクス部７３０との間にスイッチングを遂行し、メインアンテナとスイッチ及びパワー増幅部７４０との間にスイッチングを遂行する。
【００９１】
第１のミキサー７８０は、メイン受信帯域の信号を受信するためのＷＣＤＭＡ２０００受信器７２１に接続され、ＷＣＤＭＡ２０００受信器７２１から受信された高い帯域の周波数を低い帯域の周波数に変換する。
【００９２】
第２のミキサー７９０は、サブ受信帯域の信号を受信するためのＰＣＳ１９００受信器７２２、ＧＳＭ８５０受信器７２３、ＤＣＳ１８００受信器７２４、ＧＳＭ９００受信器７２５、ＷＣＤＭＡ２０００ダイバシティ受信器７２６に接続され、各受信器７２２〜７２６から受信された高い帯域の周波数を低い帯域の周波数に変換する。
【００９３】
上記したように、本発明の実施形態によるヨーロッパ型マルチモード/マルチバンド移動局で、ＬＮＡ６２は、ＷＣＤＭＡ１９００ＭＨｚ信号とＰＣＳ１９００ＭＨｚ信号を共に増幅する兼用ＬＮＡであるが、ＷＣＤＭＡ１９００ＭＨｚ信号が使用しないため、ＰＣＳ１９００ＭＨｚ信号のみを増幅するのに使用される。また、ＬＮＡ６３は、ＷＣＤＭＡ８５０ＭＨｚ信号とＧＳＭ８５０ＭＨｚ信号を共に増幅する兼用ＬＮＡであるが、ＷＣＤＭＡ８５０ＭＨｚ信号は使用しないため、ＧＳＭ８５０ＭＨｚ信号のみが増幅するのに使用される。
【００９４】
本発明の実施形態によるヨーロッパ型マルチモード/マルチバンド移動局は、メイン受信帯域の受信器７２１のミキサーとサブ受信帯域の受信器７２２〜７２６のミキサーを、各々一つのミキサー７８０，７９０を使用することによって少ない個数のミキサーを必要とする。
【００９５】
図５に示すように、米国では、ＷＣＤＭＡ１９００ＭＨｚ、ＷＣＤＭＡ８５０ＭＨｚ、ＧＳＭ/ＧＰＲＳ/ＥＤＧＥ(ＰＣＳ)１９００ＭＨｚ、ＧＳＭ/ＧＰＲＳ/ＥＤＧＥ(ＧＳＭ)８５０ＭＨｚ帯域がメイン受信帯域で、ＧＳＭ/ＧＰＲＳ/ＥＤＧＥ(ＤＣＳ)１８００ＭＨｚ、ＧＳＭ/ＧＰＲＳ/ＥＤＧＥ(ＧＳＭ)９００ＭＨｚ帯域がサブ受信帯域である。したがって、本発明の実施形態による米国型マルチモード/マルチバンド移動局では、ＷＣＤＭＡ１９００、ＷＣＤＭＡ８５０、ＰＣＳ１９００、ＧＳＭ８５０受信器をメイン受信器として使用し、ＤＣＳ１８００、ＧＳＭ９００受信器とダイバシティ受信器をサブ受信器として使用する場合について説明する。
【００９６】
このような本発明の実施形態による米国型マルチモード/マルチバンド移動局は、図８に示す。図８は、本発明の実施形態による米国型マルチモード/マルチバンド移動局の具体的な回路図である。
【００９７】
図８を参照すると、本発明の実施形態による米国型マルチモード/マルチバンド移動局の送信部８１０は、ＷＣＤＭＡ１９００送信器８１１、ＷＣＤＭＡ８５０送信器８１２、ＤＣＳ１８００/ＰＣＳ１９００送信器８１３、及びＧＳＭ８５０/ＧＳＭ９００送信器８１４を含む。このような送信器８１１〜８１４は、各々自分のサービス及び周波数帯域に対応する送信信号を出力する。
【００９８】
受信部８２０は、ＷＣＤＭＡ１９００ＭＨｚ、ＷＣＤＭＡ８５０ＭＨｚ、ＧＳＭ/ＧＰＲＳ/ＥＤＧＥ(ＰＣＳ)１９００ＭＨｚ、ＧＳＭ/ＧＰＲＳ/ＥＤＧＥ(ＧＳＭ)８５０ＭＨｚ、ＧＳＭ/ＧＰＲＳ/ＥＤＧＥ(ＤＣＳ)１８００ＭＨｚ、ＧＳＭ/ＧＰＲＳ/ＥＤＧＥ(ＧＳＭ)９００ＭＨｚ帯域の信号と、ＷＣＤＭＡ１９００ＭＨｚ、ＷＣＤＭＡ８５０ＭＨｚ帯域の信号を受信するための受信器を含む。
【００９９】
この受信部８２０は、ＷＣＤＭＡ/ＰＣＳ１９００兼用受信器８２１、ＷＣＤＭＡ/ＧＳＭ８５０兼用受信器８２２、ＤＣＳ１８００受信器８２３、ＧＳＭ９００受信器８２４、ＷＣＤＭＡ１９００(Ｄ)ダイバシティ受信器８２５、及びＷＣＤＭＡ８５０(Ｄ)ダイバシティ受信器８２６を含んで構成される。
【０１００】
ＷＣＤＭＡ/ＰＣＳ１９００兼用受信器８２１は、メインアンテナを通じて受信される低い信号をＷＣＤＭＡ１９００サービス方式又はＧＳＭ/ＧＰＲＳ/ＥＤＧＥ(ＰＣＳ)１９００サービス方式に基づいて増幅するＬＮＡ８１を含む。ＷＣＤＭＡ/ＧＳＭ８５０兼用受信器８２２は、メインアンテナを通じて受信される低い信号をＷＣＤＭＡ８５０サービス方式又はＧＳＭ/ＧＰＲＳ/ＥＤＧＥ(ＧＳＭ)８５０サービス方式に基づいて増幅するＬＮＡ８２を含む。
【０１０１】
ＤＣＳ１８００受信器８２３は、メインアンテナを通じて受信されたＤＣＳ１８００ＭＨｚ帯域の受信信号を通過させ、送信信号による漏れ信号は通過させない帯域通過フィルター７３と、受信されたＤＣＳ１８００ＭＨｚ帯域の受信信号を増幅するＬＮＡ８３とを含む。
【０１０２】
ＧＳＭ９００受信器８２４は、メインアンテナを通じて受信されたＧＳＭ９００ＭＨｚ帯域の受信信号を通過させ、送信信号による漏れ信号は通過させない帯域通過フィルター７４と、受信されたＧＳＭ９００ＭＨｚ帯域の受信信号を増幅するＬＮＡ８４とを含む。
【０１０３】
ＷＣＤＭＡ１９００(Ｄ)ダイバシティ受信器８２５は、サブアンテナを通じて受信されたＷＣＤＭＡ１９００ＭＨｚダイバシティ信号を通過させ、送信信号による漏れ信号は通過させない帯域通過フィルター７５と、受信されたＷＣＤＭＡ１９００ＭＨｚダイバシティ信号を増幅するＬＮＡ８５とを含む。
【０１０４】
ＷＣＤＭＡ８５０(Ｄ)ダイバシティ受信器８２６は、サブアンテナを通じて受信されたＷＣＤＭＡ８５０ＭＨｚダイバシティ信号を通過させ、送信信号による漏れ信号は通過させない帯域通過フィルター７６と、受信されたＷＣＤＭＡ８５０ＭＨｚダイバシティ信号を増幅するＬＮＡ８６とを含む。
【０１０５】
デュプレクス部８３０は、ＷＣＤＭＡ１９００送信器８１１及びＷＣＤＭＡ/ＰＣＳ１９００兼用受信器８２１に接続される第１のデュプレクサ８３１と、ＷＣＤＭＡ８５０送信器８１２及びＷＣＤＭＡ/ＧＳＭ８５０兼用受信器８２２に接続される第２のデュプレクサ８３２とを含む。
【０１０６】
第１のデュプレクサ８３１は、ＷＣＤＭＡ１９００送信器８１１から出力されるＷＣＤＭＡ１９００ＭＨｚ送信信号をメインアンテナに出力し、メインアンテナを通じて受信されるＷＣＤＭＡ１９００ＭＨｚ受信信号又はＰＣＳ１９００ＭＨｚ信号をＷＣＤＭＡ/ＰＣＳ１９００兼用受信器８２１に出力する。
【０１０７】
第２のデュプレクサ８３２は、ＷＣＤＭＡ８５０送信器８１２から出力されるＷＣＤＭＡ８５０ＭＨｚ送信信号をメインアンテナに出力し、メインアンテナを通じて受信されるＷＣＤＭＡ８５０ＭＨｚ受信信号又はＧＳＭ８５０ＭＨｚ信号をＷＣＤＭＡ/ＧＳＭ８５０兼用受信器８２２に出力する。
【０１０８】
スイッチ及びパワー増幅部８４０は、送信部８１０のＤＣＳ１８００/ＰＣＳ１９００送信器８１３、ＧＳＭ８５０/ＧＳＭ９００送信器８１４に接続され、受信部８２０のＤＣＳ１８００受信器８２３、ＧＳＭ９００受信器８２４に各々接続される。このようなスイッチ及びパワー増幅部８４０は、各送受信信号の送受信及び帯域を選択する送受信及び帯域選択スイッチ８４１と、各送信信号のパワーを増幅するための第１のパワー増幅器８４２及び第２のパワー増幅器８４３とを含む。
【０１０９】
送受信及び帯域選択スイッチ８４１は、ＤＣＳ１８００/ＰＣＳ１９００送信器８１３及びＧＳＭ８５０/ＧＳＭ９００送信器８１４から出力されるそれぞれのＤＣＳ１８００/ＰＣＳ１９００ＭＨｚ帯域の送信信号とＧＳＭ８５０/ＧＳＭ９００ＭＨｚ帯域の送信信号を選択的にメインアンテナに出力するためのスイッチングを遂行する。そして、送受信及び帯域選択スイッチ８４１は、メインアンテナを通じて受信されたＤＣＳ１８００ＭＨｚ帯域の受信信号とＧＳＭ９００ＭＨｚ帯域の受信信号を各々該当するＤＣＳ１８００受信器８２３とＧＳＭ９００受信器８２４に出力するためのスイッチングを遂行する。送受信及び帯域選択スイッチ８４１は、ＤＣＳ１８００/ＰＣＳ１９００送信器８１３が支援するＤＣＳ１８００ＭＨｚ帯域とＰＣＳ１９００ＭＨｚ帯域の中で送信しようとする周波数帯域を選択し、ＧＳＭ８５０/ＧＳＭ９００送信器８１４が支援するＧＳＭ８５０ＭＨｚ帯域とＧＳＭ９００ＭＨｚ帯域の中で送信しようとする周波数帯域を選択するスイッチングを遂行する。第１のパワー増幅器８４２は、ＤＣＳ１８００/ＰＣＳ１９００送信器８１３から出力されるＤＣＳ１８００ＭＨｚ帯域とＰＣＳ１９００ＭＨｚ帯域の送信信号のパワーを増幅する。第２のパワー増幅器８４３は、ＧＳＭ８５０/ＧＳＭ９００送信器８１４から出力されるＧＳＭ８５０ＭＨｚ帯域とＧＳＭ９００ＭＨｚ帯域の送信信号のパワーを増幅する。
【０１１０】
第１のアンテナスイッチ８５０は、デュプレクス部８３０とスイッチ及びパワー増幅部８４０に接続され、メインアンテナとデュプレクス部８３０との間にスイッチングを遂行し、メインアンテナとスイッチ及びパワー増幅部８４０との間にスイッチングを遂行する。
【０１１１】
第２のアンテナスイッチ８６０は、それぞれのダイバシティ受信器８２５，８２６に接続され、サブアンテナとダイバシティ受信器８２５、８２６との間にスイッチングを遂行する。
【０１１２】
第１のミキサー８８０は、ＷＣＤＭＡ１９００ＭＨｚ、ＷＣＤＭＡ８５０ＭＨｚ、ＰＣＳ１９００ＭＨｚ、ＧＳＭ８５０ＭＨｚ帯域、すなわちメイン受信帯域を受信する受信器ら８２１，８２２に接続され、メイン受信帯域信号それぞれの高い帯域の周波数を低い帯域の周波数に変換する。
【０１１３】
第２のミキサー８９０は、ＤＣＳ１８００ＭＨｚ、ＧＳＭ９００ＭＨｚ帯域の信号と、ＷＣＤＭＡ１９００ＭＨｚ、ＷＣＤＭＡ８５０ＭＨｚ帯域のダイバシティ帯域に該当するサブ受信帯域を受信する受信器８２３〜８２６に各々接続され、サブ受信帯域信号それぞれの高い帯域の周波数を低い帯域の周波数に変換する。
【０１１４】
上記したように、本発明の実施形態による米国型マルチモード/マルチバンド移動局は、無線インターフェース規格(ＷＣＤＭＡ/ＤＣＳ又はＧＳＭ）が異なっても同一の周波数帯域(１９００ＭＨｚ又は８５０ＭＨｚ）の信号を受信するＷＣＤＭＡ/ＰＣＳ１９００兼用受信器８２１とＷＣＤＭＡ/ＧＳＭ８５０兼用受信器８２２を使用する。ＷＣＤＭＡ/ＰＣＳ１９００兼用受信器８２１のＬＮＡ８１は、ＷＣＤＭＡ１９００信号を受信する場合に、ＷＣＤＭＡ１９００サービス方式に基づいて受信信号を増幅し、ＰＣＳ１９００信号を受信する場合にＰＣＳ１９００サービス方式に基づいて受信信号を増幅する。そして、ＷＣＤＭＡ/ＧＳＭ８５０兼用受信器８２２のＬＮＡ８２は、ＷＣＤＭＡ８５０信号を受信する場合に、ＷＣＤＭＡ８５０サービス方式に基づいて受信信号を増幅し、ＧＳＭ８５０信号を受信する場合にＧＳＭ８５０サービス方式に基づいて受信信号を増幅する。本発明の実施形態で、上記のように、同一の帯域であれば、相互に異なる無線インターフェース規格の受信信号(ＷＣＤＭＡ信号又はＰＣＳ信号、ＷＣＤＭＡ信号又はＧＳＭ信号)を共に増幅する兼用ＬＮＡ８１，８２を用いることによって、ＬＮＡの個数を減少し、それぞれのサービスに対して別個の受信器を備えなくてもよい。
【０１１５】
本発明の実施形態による米国型マルチモード/マルチバンド移動局は、ＷＣＤＭＡ１９００ＭＨｚ、ＷＣＤＭＡ８５０ＭＨｚ、ＰＣＳ１９００ＭＨｚ、ＧＳＭ８５０ＭＨｚ帯域、すなわちメイン受信帯域に該当するＷＣＤＭＡ/ＰＣＳ１９００兼用受信器８２１及びＷＣＤＭＡ/ＧＳＭ８５０兼用受信器８２２ＳＡＷフィルター８１，８２を使用することによって、メイン受信帯域の受信感度をより良くする。
【０１１６】
上記したように、本発明の実施形態による米国型マルチモード/マルチバンド移動局は、メイン受信帯域の受信器８２１，８２２のミキサーとサブ受信帯域の受信器８２３〜８２６のミキサーに対して、各々一つの兼用ミキサー８８０，８９０を用いることによって、少ない個数のミキサーを必要とする。
【０１１７】
上記したように、本発明の第２の実施形態によるマルチモード/マルチバンド移動局の信号受信動作について、以下に詳細に説明する。
【０１１８】
図９は、本発明の第２の実施形態によるマルチモード/マルチバンド移動局の受信動作を示すブロック構成図である。図９では、本発明の第２の実施形態によるマルチモード/マルチバンド移動局の構成要素の中で、受信動作のための構成要素、ベースバンド処理部、及びモデム部を示す。
【０１１９】
図９を参照すると、モデム部９９０は、マルチモード/マルチバンド信号の中で希望するモードの希望する帯域信号を受信するためのスイッチ制御信号とＳＰＩ信号を出力する。
【０１２０】
スイッチ制御信号は、第１のアンテナスイッチ９１０を制御するための第１のスイッチ制御信号と、第２のアンテナスイッチ９２０を制御するための第３のスイッチ制御信号と、送受信及び帯域選択スイッチ９４０を制御するための第２のスイッチ制御信号とを含む。
【０１２１】
第１のスイッチ制御信号は、マルチモード/マルチバンド信号の中でメイン受信信号の受信モード(ＷＣＤＭＡ又はＧＳＭ)と、受信周波数帯域を選択するための制御信号で、第１のアンテナスイッチ９１０に印加される。第２のスイッチ制御信号は、第１のスイッチ制御信号によって受信モードがＧＳＭモードとして選択された状態で、ＧＳＭモードの周波数帯域を選択するための信号で、送受信及び帯域選択スイッチ９４０に印加される。第３のスイッチ制御信号は、ＷＣＤＭＡダイバシティ受信を遂行するか否かを選択するための信号で、第２のアンテナスイッチ９２０に印加される。
【０１２２】
第１のアンテナスイッチ９１０は、第１のスイッチ制御信号によってスイッチング動作を遂行して第１のアンテナとデュプレクス部９３０のデュプレクサのうち、該当モード及び帯域のデュプレクサを接続させ、或いは第１のアンテナと送受信及び帯域選択スイッチ９４０を接続させる。デュプレクス部９３０は、ＷＣＤＭＡモードの各帯域を受信するためのデュプレクサと、ＷＣＤＭＡ/ＧＳＭ兼用モードの各帯域を受信するためのデュプレクサを含む。ＷＣＤＭＡモードの各帯域を受信するためのデュプレクサは第１のアンテナに接続される場合に、第１のアンテナを通じて受信された信号をＷＣＤＭＡ受信器９５２に伝送する。ＷＣＤＭＡ/ＧＳＭ兼用モード帯域を受信するためのデュプレクサが第１のアンテナに接続される場合に、第１のアンテナを通じて受信されたＷＣＤＭＡ又はＧＳＭモードの兼用帯域信号をＷＣＤＭＡ/ＧＳＭ兼用受信器９５４に伝送する。
【０１２３】
送受信及び帯域選択スイッチ９４０は、第２のスイッチ制御信号によって第１のアンテナスイッチ９１０と該当帯域のＧＳＭ受信器９５６に接続され、第１のアンテナを通じて受信された信号が第１のアンテナスイッチ９１０を通じて該当帯域のＧＳＭ受信器９５６に伝送される。
【０１２４】
第２のアンテナスイッチ９２０は、第３のスイッチ制御信号に応じてＷＣＤＭＡダイバシティ信号を受信するか否かを選択する。第２のアンテナスイッチ９２０は、ＷＣＤＭＡダイバシティ信号を受信するように選択されると、第２のアンテナとＷＣＤＭＡダイバシティ受信部９５８の該当帯域受信器を接続して第２のアンテナを通じて受信されたＷＣＤＭＡダイバシティ信号がＷＣＤＭＡダイバシティ受信部９５８に伝送される。
【０１２５】
ＷＣＤＭＡ受信器９５２、ＷＣＤＭＡ/ＧＳＭ兼用受信器９５４、ＧＳＭ受信器９５６、ＷＣＤＭＡダイバシティ受信部９５８各々は、該当モード及び帯域に対する信号を受信し、受信された信号を該当モード及び帯域に適合した方式で低雑音増幅して出力する。
【０１２６】
ベースバンド処理部９８０は、モデム部９９０からのＳＰＩ信号に応じてＷＣＤＭＡ/ＧＳＭ兼用受信器９５４、ＧＳＭ受信器９５６、ＷＣＤＭＡダイバシティ受信部９５８のうち、受信しようとするモード及び帯域に対応する一つの受信器のみが動作するように制御する。
【０１２７】
ベースバンド処理部９８０は、受信しようとするモード及び帯域信号をＷＣＤＭＡ/ＧＳＭ兼用受信器９５４を通じて受信する場合に、受信信号がＷＣＤＭＡ信号であるか、或いは、ＧＳＭ信号であるかにより、ＷＣＤＭＡ/ＧＳＭ兼用受信器９５４の低雑音増幅利得を制御する。例えば、ベースバンド処理部９８０はＷＣＤＭＡ/ＧＳＭ兼用受信器９５４を通じて受信する信号がＷＣＤＭＡ信号であると、ベースバンド処理部９８０は、ＷＣＤＭＡ/ＧＳＭ兼用受信器９５４の低雑音増幅利得をＷＣＤＭＡモードに該当する利得で調節するための低雑音増幅利得調節信号を出力する。そして、ベースバンド処理部９８０は、受信信号がＧＳＭ信号であると、ＷＣＤＭＡ/ＧＳＭ兼用受信器９５４の低雑音増幅利得をＧＳＭモードに該当する利得で制御するための低雑音増幅利得調節信号を出力する。
【０１２８】
また、ベースバンド処理部９８０は、ＳＰＩ信号により第１のミキサー９６０に提供される第１のローカル周波数Ｌ０１又は第２のミキサー９７０に提供される第２のローカル周波数Ｌ０２を制御する。例えば、ベースバンド処理部９８０は、ＳＰＩ信号によって受信しようとするモード及び帯域信号がＷＣＤＭＡ受信器９５２を通じて受信されるＷＣＤＭＡモード帯域信号である場合に、第１のローカル周波数を対応するＷＣＤＭＡチャンネル周波数で制御する。そして、ベースバンド処理部９８０は、ＳＰＩ信号によって受信しようとするモード及び帯域信号がＷＣＤＭＡ/ＧＳＭ兼用受信器９５４を通じて受信されるＷＣＤＭＡ/ＧＳＭ兼用モード帯域信号の場合第１のローカル周波数を対応するＷＣＤＭＡチャンネル周波数又はＧＳＭチャンネル周波数で制御する。そして、ベースバンド処理部９８０は、ＳＰＩ信号によって受信しようとするモード及び帯域信号がＧＳＭ受信器９５２を通じて受信されるＧＳＭモード帯域信号である場合に、第２のローカル周波数を対応するＧＳＭチャンネル周波数で制御する。
【０１２９】
第１のミキサー９６０は、各モード及び帯域別に制御される第１のローカル周波数を用いてＷＣＤＭＡ受信器９５２、ＷＣＤＭＡ/ＧＳＭ兼用受信器９５４、すなわちメイン帯域受信器から低雑音増幅された信号を下方変換する。また、第２のミキサー９８０は、各モード及び帯域別に制御される第１のローカル周波数を用いてＧＳＭ受信器９５６、ＷＣＤＭＡダイバシティ受信器９５８、すなわちサブ帯域受信器から低雑音増幅された信号を下方変換する。
【０１３０】
ベースバンド処理部９８０は、第１のミキサー９６０及び第２のミキサー９７０から下方変換された信号を各々第１及び第２のベースバンド信号に変換し、この変換された第１及び第２のベースバンド信号をＷＣＤＭＡベースバンド信号、ＧＳＭベースバンド信号に区分して出力する。
【０１３１】
モデム部９９０は、ベースバンド処理部９８０から出力されるＷＣＤＭＡベースバンド信号、ＧＳＭベースバンド信号の各々を該当モデムを用いて復調する。
【０１３２】
言い換えると、上記したように本発明の第２の実施形態によるマルチモード/マルチバンド移動局の信号受信動作によると、モデム部９９０は、マルチモード/マルチバンド信号のうちの希望するモードの希望する帯域信号を受信するためのスイッチ制御信号とＳＰＩ信号を出力する。
【０１３３】
すると、第１のアンテナスイッチ９１０、送受信及び帯域選択スイッチ９４０、第２のアンテナスイッチ９２０は、モデム部９９０からのスイッチ制御信号によって各々受信モード(ＷＣＤＭＡ、ＧＳＭ)及び受信周波数帯域と、受信モードがＧＳＭモードである場合に、周波数帯域と、ＷＣＤＭＡダイバシティの受信可否を選択するスイッチングを遂行する。
【０１３４】
また、ベースバンド処理部９８０は、モデム部９９０からのＳＰＩ信号によって各モード及び帯域別受信器の中で、受信しようとするモード及び帯域に対応する一つの受信器のみを動作するように制御する。ベースバンド処理部９８０は、受信された信号をベースバンド信号に変換した後に、そのベースバンド信号がＷＣＤＭＡベースバンド信号であるか、或いはＧＳＭベースバンド信号であるかによって区分して出力する。
【０１３５】
モデム部９９０は、ベースバンド処理部９８０から出力されるＷＣＤＭＡベースバンド信号、ＧＳＭベースバンド信号の各々を該当モデムを用いて復調する。
【０１３６】
以下に、上述したような本発明の第２の実施形態によるマルチモード/マルチバンド移動局の信号受信動作をより具体的に説明する。
【０１３７】
図１０は、本発明の第２の実施形態によるマルチモード/マルチバンド移動局の信号受信動作を遂行するためのベースバンド処理部９８０とモデム部９９０の構成をより具体的に示す。
【０１３８】
図１０では、本発明の第２の実施形態によるマルチモード/マルチバンド移動局がＷＣＤＭＡ２０００、ＷＣＤＭＡ１９００、ＷＣＤＭＡ８５０、ＤＣＳ１８００、ＰＣＳ１９００、ＧＳＭ９００、ＧＳＭ８５０信号を支援する一例を示す。
【０１３９】
図１０を参照すると、送信部６１０、受信部６２０、デュプレクス部６３０、スイッチ及びパワー増幅部６４０、第１のアンテナスイッチ６５０、第２のアンテナスイッチ６６０、第１のミキサー６８０、及び第２のミキサー６９０は、上記の図６に示した要素に類似している。したがって、送信部６１０、受信部６２０、デュプレクス部６３０、スイッチ及びパワー増幅部６４０、第１のアンテナスイッチ６５０、第２のアンテナスイッチ６６０、第１のミキサー６８０、及び第２のミキサー６９０については図６の説明を参照し、ここではその詳細な説明を省略する。以下に、ベースバンド処理部９８０とモデム部９９０の構成及び動作について説明する。
【０１４０】
モデム部９９０のモデム制御部９９１は、マルチモード/マルチバンド信号、例えばＷＣＤＭＡ２０００、ＷＣＤＭＡ１９００、ＷＣＤＭＡ８５０、ＤＣＳ１８００、ＰＣＳ１９００、ＧＳＭ９００、ＧＳＭ８５０信号の中で、希望するモード及び帯域の信号を受信するための第１〜第３のスイッチ制御信号ＳＷＣ１、ＳＷＣ２，ＳＷＣ３を出力する。
【０１４１】
第１のスイッチ制御信号ＳＷＣ１は、ＷＣＤＭＡ２０００、ＷＣＤＭＡ１９００、ＷＣＤＭＡ８５０、ＤＣＳ１８００、ＰＣＳ１９００、ＧＳＭ９００、ＧＳＭ８５０信号の中で、希望する受信モード(ＷＣＤＭＡ又はＧＳＭ)と受信周波数帯域を選択するための制御信号である。
【０１４２】
第１のアンテナスイッチ６５０は、第１のスイッチ制御信号ＳＷＣ１によって第１のアンテナとデュプレクス部６３０の第１〜第３のデュプレクサ６３１〜６３３のうち、該当モード及び帯域のデュプレクサに接続させ、或いは第１のアンテナとスイッチ及びパワー増幅部６４０を接続させることによって、希望する受信モード及び帯域に該当する受信器を選択可能にする。
【０１４３】
例えば、第１のアンテナスイッチ６５０は、ＧＳＭ８５０帯域の信号を受信するための第１のスイッチ制御信号を受信する場合に、第１のアンテナと第３のデュプレクサ６３３を接続させて第１のアンテナを通じて受信されたＧＳＭ８５０信号をＷＣＤＭＡ/ＧＳＭ８５０兼用受信器６２３に伝送させる。また、第１のアンテナスイッチ６５０は、ＤＣＳ１８００帯域の信号を受信するための第１のスイッチ制御信号を受信する場合に、第１のアンテナと送受信及び帯域選択スイッチ６４１を接続させて第１のアンテナを通じて受信された信号が送受信及び帯域選択スイッチ６４１を通じてＤＣＳ１８００受信器６２４に伝送されるようにする。
【０１４４】
送受信及び帯域選択スイッチ６４１は、第２のスイッチ制御信号ＳＷＣ２によって第１のアンテナスイッチ６５０と該当帯域のＧＳＭ受信器を接続して希望するＧＳＭ受信器を選択可能にする。例えば、送受信及び帯域選択スイッチ６４０は、ＧＳＭ受信信号の中でＧＳＭ９００帯域の信号を受信するための第２のスイッチ制御信号を受信する場合に、第１のアンテナスイッチ６５０とＧＳＭ９００受信器６２５を接続させて第１のアンテナスイッチ６５０を通じて受信された信号をＧＳＭ９００受信器６２５に伝送させる。
【０１４５】
第２のアンテナスイッチ６６０は、第３のスイッチ制御信号ＳＷＣ３によって第２のアンテナとＷＣＤＭＡダイバシティ受信部３７０の該当帯域受信器を接続及び解除するスイッチング動作を遂行することによって、ＷＣＤＭＡダイバシティ信号の受信可否が選択される。
【０１４６】
モデム部９９０のモデム制御部９９１は、上記したように、希望するモード及び帯域の信号を受信するための第１〜第３のスイッチ制御信号ＳＷＣ１〜ＳＷＣ３を出力し、同時にその受信信号を処理するためのＳＰＩ信号をベースバンド処理部９８０に出力する。
【０１４７】
ベースバンド処理部９８０は、制御部９８２と、第１のベースバンド処理部９８４と、第２のベースバンド処理部９８６と、マルチプレクサ９８８とを含む。
【０１４８】
制御部９８２は、モデム制御部９９１から受信されるＳＰＩ信号に応じて各モード及び帯域別受信器６２１〜６２８の中で受信しようとするモード及び帯域に対応する受信器のみが動作するように制御する。例えば、制御部９８２は、受信しようとする信号がＷＣＤＭＡ２０００帯域である場合に、モデム制御部９９１から受信されたＳＰＩ信号によってＷＣＤＭＡ２０００受信器６２１とＷＣＤＭＡ２０００(Ｄ)受信器６２６のみが動作するように制御する。また、制御部９８２は、受信しようとする信号がＧＳＭ８５０帯域である場合に、モデム制御部９９１からのＳＰＩ信号によってＷＣＤＭＡ/ＧＳＭ８５０兼用受信器６２２だけが動作するように制御する。
【０１４９】
そして、制御部９８２は、受信しようとする信号がＷＣＤＭＡ/ＧＳＭ兼用帯域である場合に、ＷＣＤＭＡ/ＧＳＭ兼用受信器の低雑音増幅(ＬＮＡ)利得をＷＣＤＭＡ又はＧＳＭのうちいずれか一つの利得で制御するための制御信号を出力する。例えば、制御部９８２は、受信しようとする信号がＷＣＤＭＡ/ＰＣＳ１９００帯域のうちいずれか一つである場合に、ＷＣＤＭＡ/ＰＣＳ１９００兼用受信器６２２のＬＮＡ２２の利得をＷＣＤＭＡ１９００又はＰＣＳ１９００のうちの一つの帯域に対応する利得で制御するための信号ＬＣ１を出力する。また、制御部９８２は、受信しようとする信号がＷＣＤＭＡ/ＧＳＭ８５０帯域のうちいずれか一つである場合に、ＷＣＤＭＡ/ＧＳＭ８５０兼用受信器６２３のＬＮＡ２３の利得をＷＣＤＭＡ８５０又はＧＳＭ８５０のうちの一つの帯域に該当する利得で制御するための信号ＬＣ２を出力する。
【０１５０】
上記したように制御部９８２の制御下で、各モード及び帯域別受信器６２１〜６２８は、自分の帯域に該当する信号を低雑音増幅する。特に、ＷＣＤＭＡ/ＰＣＳ１９００兼用受信器６２２とＷＣＤＭＡ/ＧＳＭ８５０兼用受信器６２３は、制御部９８２からの信号ＬＣ１，ＬＣ２によってＬＮＡ利得をＷＣＤＭＡに該当する利得又はＧＳＭに該当する利得で制御し、同時にＷＣＤＭＡ信号又はＧＳＭ信号をそれぞれ低雑音増幅する。
【０１５１】
ここで、ＷＣＤＭＡ/ＰＣＳ１９００兼用受信器６２２とＷＣＤＭＡ/ＧＳＭ８５０兼用受信器６２３がＬＮＡ利得をＷＣＤＭＡに該当する利得又はＧＳＭに該当する利得に各々制御する方法が、図１１Ａ及び図１１Ｂに示す。図１１Ａ及び図１１Ｂを参照すると、ＷＣＤＭＡ/ＰＣＳ１９００兼用受信器６２２とＷＣＤＭＡ/ＧＳＭ８５０兼用受信器６２３は、ＷＣＤＭＡ信号を受信する場合に、図１１Ａに示すように、ＷＣＤＭＡ信号受信強度Ｐ１，Ｐ２に基づいて低雑音増幅利得を３段階に制御する。また、ＷＣＤＭＡ/ＰＣＳ１９００兼用受信器６２２とＷＣＤＭＡ/ＧＳＭ８５０兼用受信器６２３は、ＧＳＭ信号を受信する場合に、図１１Ｂに示すように、ＧＳＭ信号受信強度Ｐ３，Ｐ４に基づいて低雑音増幅利得を３段階に制御する。この受信強度Ｐ１，Ｐ２，Ｐ３，Ｐ４は、モデムのアルゴリズムにより可変可能である。
【０１５２】
各モード及び帯域別受信器６２１〜６２８によって低雑音増幅された信号は、広帯域(ｗｉｄｅｂａｎｄ)用ミキサーである第１のミキサー６８０又は第２のミキサー６９０に入力される。
【０１５３】
制御部９８２は、第１のミキサー６８０に提供される第１のローカル周波数Ｌ０１及び第２のミキサー６９０に提供される第２のローカル周波数Ｌ０２を該当受信モード及び帯域に該当するローカル周波数で制御する。したがって、第１のミキサー６８０は、メイン帯域に該当するＷＣＤＭＡ２０００受信器６２１、ＷＣＤＭＡ/ＰＣＳ１９００兼用受信器６２２、ＷＣＤＭＡ/ＧＳＭ８５０兼用受信器６３３のうちの一つから入力された信号を第１のローカル周波数Ｌ０１を用いて下方変換する。また、第２のミキサー６９０は、サブ帯域に該当するＤＣＳ１８００受信器６２４、ＧＳＭ９００受信器６２５、ＷＣＤＭＡダイバシティ受信器６２６〜６２８のうちの一つから入力された信号を第２のローカル周波数を用いて下方変換する。
【０１５４】
第１のミキサー６８０によって下方変換されたメイン帯域の信号は第１のベースバンド処理部９８４に入力され、第１のベースバンド処理部９８４は、制御部９８２の制御下に下方変換されたメイン帯域の信号を第１のベースバンド信号として出力する。また、第２のミキサー６９０によって下方変換されたサブ帯域の信号は第２のベースバンド処理部９８６に入力され、第２のベースバンド処理部９８６は制御部９８２の制御下に下方変換されたサブ帯域の信号を第２のベースバンド信号として出力する。
【０１５５】
このような第１及び第２のベースバンド処理部９８４，９８６のベースバンド信号処理動作について図１２に示す。図１２は、本発明の第２の実施形態によるマルチモード/マルチバンド移動局のベースバンド信号処理動作を示すブロック構成図である。
【０１５６】
図１２を参照すると、第１のベースバンド処理部９８４は、Ａ/Ｄ変換器１と、デジタルＡＧＣ(Ａｕｔｏｍａｔｉｃ  Ｇａｉｎ  Ｃｏｎｔｒｏｌｌｅｒ)２と、チャンネルフィルター３と、ＤＣオフセット補正部４と、Ｄ/Ａ変換器５とを含む。
【０１５７】
Ａ/Ｄ変換器１は、第１のミキサー６８０によって下方変換されたメイン帯域の信号を受信してデジタル信号に変換する。デジタルＡＧＣ２は、変換されたメイン帯域のデジタル信号の利得を制御する。チャンネルフィルター３は、ＬＰＦ(Ｌｏｗ  Ｐａｓｓ  Ｆｉｌｔｅｒ）である可能性があり、メイン帯域のデジタル信号を受信し、該当チャンネル信号のみが通過されるようにフィルターリングする。ＤＣオフセット補正部４は、フィルタリングされたチャンネル信号のＤＣオフセットを補正する。Ｄ/Ａ変換器５は、ＤＣオフセット補正された該当チャンネル信号をアナログ信号に変換して第１のベースバンド信号として出力する。
【０１５８】
本発明の第２の実施形態によると、メイン帯域の信号は、ＷＣＤＭＡ２０００、ＷＣＤＭＡ１９００、ＰＣＳ１９００、ＷＣＤＭＡ８５０、ＧＳＭ８５０帯域になることができる。制御部９８２は、モデム制御部９９１から受信されるＳＰＩ信号によって第１のベースバンド処理部９８４を制御する。それによって、第１のベースバンド処理部９８４のＡ/Ｄ変換器１、デジタルＡＧＣ２、チャンネルフィルター３、ＤＣオフセット補正部４、及びＤ/Ａ変換器５は、各々制御部９８２の制御下に受信帯域特性によりその特性を変化させて動作する。
【０１５９】
例えば、受信帯域がＧＳＭ８５０帯域である場合に、第１のベースバンド処理部９８４のＡ/Ｄ変換器１、デジタルＡＧＣ２、チャンネルフィルター３、ＤＣオフセット補正部４、Ｄ/Ａ変換器５は、各々制御部９８２の制御下にＧＳＭ８５０帯域特性により動作する。また、受信帯域がＷＣＤＭＡ８５０帯域である場合に、第１のベースバンド処理部９８４のＡ/Ｄ変換器１、デジタルＡＧＣ２、チャンネルフィルター３、ＤＣオフセット補正部４、Ｄ/Ａ変換器５は、各々制御部９８２の制御下にＷＣＤＭＡ８５０帯域特性により動作する。
【０１６０】
第２のベースバンド処理部９８６は、第１のベースバンド処理部９８４に類似した方式で動作し、サブ帯域の信号、すなわちＤＣＳ１８００、ＧＳＭ９００、ＷＣＤＭＡ２０００(Ｄ)、ＷＣＤＭＡ１９００(Ｄ)、ＷＣＤＭＡ８５０(Ｄ)帯域の信号を第２のベースバンド信号として出力する。
【０１６１】
第１のベースバンド処理部９８４はＷＣＤＭＡ２０００、ＷＣＤＭＡ１９００、ＰＣＳ１９００、ＷＣＤＭＡ８５０、ＧＳＭ８５０帯域を処理するため、第１のベースバンド処理部９８４から出力された第１のベースバンド信号は、ＷＣＤＭＡ信号又はＧＳＭ信号であることができる。
【０１６２】
また、第２のベースバンド処理部９８６はＤＣＳ１８００、ＧＳＭ９００、ＷＣＤＭＡ２０００(Ｄ)、ＷＣＤＭＡ１９００(Ｄ)、ＷＣＤＭＡ８５０(Ｄ)帯域を処理するため、第２のベースバンド処理部９８６から出力された第２のベースバンド信号はＧＳＭ信号又はＷＣＤＭＡダイバシティ信号であることができる。
【０１６３】
ベースバンド処理部９８０は、ＷＣＤＭＡベースバンド信号、ＧＳＭベースバンド信号、及びＷＣＤＭＡダイバシティ信号に各々区分されてモデム部９９０に第１及び第２のベースバンド信号を出力する。
【０１６４】
更に図９を参照すると、モデム部９９０は、Ｉ１Ｑ１経路を通じてＷＣＤＭＡに該当するベースバンド信号を受信し、Ｉ２Ｑ２経路を通じてＧＳＭ及びＷＣＤＭＡダイバシティに該当するベースバンド信号を受信する。
【０１６５】
したがって、ベースバンド処理部９８０は、第１のベースバンド処理部９８４から出力される第１のベースバンド信号がＷＣＤＭＡ信号である場合に、Ｉ１Ｑ１経路にこの第１のベースバンド信号を出力し、第１のベースバンド信号がＧＳＭ信号である場合に、そのＧＳＭベースバンド信号をマルチプレクサ９８８を通じてＩ２Ｑ２経路に出力する。
【０１６６】
ベースバンド処理部９８０は、第２のベースバンド処理部９８６から出力される第２のベースバンド信号(ＧＳＭ又はＷＣＤＭＡダイバシティ信号)をマルチプレクサ９８８を通じてＩ２Ｑ２経路に出力する。
【０１６７】
マルチプレクサ９８８は、第１のベースバンド処理部９８４から出力されるＧＳＭベースバンド信号、或いは第２のベースバンド処理部９８６から出力されるＧＳＭ又はＷＣＤＭＡダイバシティベースバンド信号を各々Ｉ２Ｑ２経路に出力する。
【０１６８】
モデム部９９０のＷＣＤＭＡモデム９９２は、Ｉ１Ｑ１経路を通じてＷＣＤＭＡベースバンド信号を受信して復調する。
【０１６９】
モデム部９９０のデマルチプレクサ９９３は、Ｉ２Ｑ２経路を通じてＧＳＭ又はＷＣＤＭＡダイバシティベースバンド信号を受信し、ＧＳＭベースバンド信号が受信されるときにはＧＳＭバースバンド信号をＧＳＭモデム９９４に出力し、ＷＣＤＭＡダイバシティベースバンド信号が受信されるときには、ＷＣＤＭＡダイバシティベースバンド信号をＷＣＤＭＡダイバシティモデム９９８に出力する。
【０１７０】
ＧＳＭモデム９９４は、ＧＳＭベースバンド信号を受信して復調する。ＷＣＤＭＡダイバシティモデム９９８は、ＷＣＤＭＡベースバンド信号を受信して復調する。
【０１７１】
以上、本発明の詳細な説明においては具体的な実施形態に関して説明したが、形式や細部についての様々な変更が可能であることは、当該技術分野における通常の知識を持つ者には明らかである。例えば、上記したように本発明の実施形態では、ＷＣＤＭＡ１９００ＭＨｚ信号とＰＣＳ１９００ＭＨｚ信号を共に受信する兼用受信器と、ＷＣＤＭＡ８５０ＭＨｚ信号とＧＳＭ８５０ＭＨｚ信号を共に受信する兼用受信器を用いる例を説明したが、本発明の相互に異なるサービス、すなわち相互に異なる無線インターフェース規格に該当し、同一の周波数帯域の信号は、上記した特定信号に限られない。したがって、本発明の範囲は、前述の実施形態に限定されるものではなく、特許請求の範囲の記載及びこれと均等なものに基づいて定められるべきである。
【図面の簡単な説明】
【０１７２】
【図１】マルチモード/マルチバンド移動局が多様な無線インターフェース規格に基づいて動作する基地局と通信する無線通信システムを示す概略図である。
【図２】本発明の第１の実施形態によるマルチモード/マルチバンド移動局を示すブロック構成図である。
【図３】本発明の第１の実施形態によるマルチモード/マルチバンド移動局によって遂行されるサーチモード動作を示すフローチャートである。
【図４】本発明の第２の実施形態によるマルチモード/マルチバンド移動局に対するブロック構成図である。
【図５】本発明の第２の実施形態によるマルチモード/マルチバンド移動局が支援する周波数帯域とサービスを示すテーブルである。
【図６】本発明の第２の実施形態による世界型マルチモード/マルチバンド移動局に対する具体的な回路図である。
【図７】本発明の第２の実施形態によるヨーロッパ型マルチモード/マルチバンド移動局に対する具体的な回路図である。
【図８】本発明の第２の実施形態による米国型マルチモード/マルチバンド移動局に対する具体的な回路図である。
【図９】本発明の第２の実施形態によるマルチモード/マルチバンド移動局の受信動作を示すブロック構成図である。
【図１０】本発明の第２の実施形態によるマルチモード/マルチバンド移動局のベースバンド処理部とモデム部を示す回路図である。
【図１１Ａ】本発明の第２の実施形態によるマルチモード/マルチバンド移動局のＷＣＤＭＡ/ＧＳＭ兼用受信器で、ＷＣＤＭＡに対する低雑音増幅利得の制御方法を示す図である。
【図１１Ｂ】本発明の第２の実施形態によるマルチモード/マルチバンド移動局のＷＣＤＭＡ/ＧＳＭ兼用受信器で、ＧＳＭに対する低雑音増幅利得の制御方法を示す図である。
【図１２】本発明の第２の実施形態によるマルチモード/マルチバンド移動局のベースバンド信号処理動作を示すブロック構成図である。
【符号の説明】
【０１７３】
１００      無線通信システム
１０１、１０２      基地局
１１１      マルチモード/マルチバンド移動局(又は、無線端末機)
２０１      アンテナアレイ
２０５      スイッチプレクサ
２１０ａ，２１０ｂ      再構成可能(ｒｅｃｏｎｆｉｇｕｒａｂｌｅ)受信通路
２１２      選択可能な低雑音増幅器(ＬＮＡ）からなる入力端
２１５      スイッチ
２１６      広帯域映像阻止(Ｉｍａｇｅ  Ｒｅｊｅｃｔｉｏｎ：ＩＲ)ミキサー
２１８      電圧制御発振器（ＶＣＯ)及び周波数可変発振器ブロック
２２０      構成可能ブロッキング帯域通過フィルター(ＢＰＦ)
２２５      プログラマブル可変利得増幅器(ＶＧＡ)
２２９      構成制御器
２３０      構成可能アンチエイリアス帯域通過フィルター(ＢＰＦ)
２３５      プログラマブルアナログ/デジタル変換器(ＡＤＣ)
２４０      ＩＦミキサー
２４５      数値制御発振器（ＮＣＯ)
２５０      デジタルチャンネルフィルターブロック
２５２      リサンプラ(ｒｅ-ｓａｍｐｌｅｒ)
２５５      デジタル/アナログ変換器(ＤＡＣ)
２６０      再構成可能ＳＤＲモデムブロック
２７０      伝送通路
２７５、２７５ａ、２７５ｂ、２７５ｃ      複数の帯域通過フィルター
２８０、２８０ａ、２８０ｂ、２８０ｃ      複数の電力増幅器
【図１】
2007529181.tif 000003
【図２】
2007529181.tif 000004
【図３】
2007529181.tif 000005
【図４】
2007529181.tif 000006
【図５】
2007529181.tif 000007
【図６】
2007529181.tif 000008
【図７】
2007529181.tif 000009
【図８】
2007529181.tif 000010
【図９】
2007529181.tif 000011
【図１０】
2007529181.tif 000012
【図１１Ａ】
2007529181.tif 000013
【図１１Ｂ】
2007529181.tif 000014
【図１２】
2007529181.tif 000015
【国際調査報告】
2007529181.tif 000016
2007529181.tif 000017